(57)【要約】【課題】外部から入力される音声をＡＶ装置を通じて聴きたい場合、入力モードの切り換えなどの各種処理を行う必要があった。また、ヘッドホン等で聴く場合と、最適な音量レベル／音量バランス等が異なり、接続の度に設定変更する必要があった。【解決手段】外部音声信号の入力を行うための入力端子と、入力端子に対するプラグの挿抜を検知する検知部と、内部取得されたＡＶ信号入力のためのＡＶ信号入力部と、音声信号処理回路に音声信号を転送するための音声信号転送部と、前記入力端子かＡＶ信号入力部かのいずれか一を選択して音声信号転送部に接続するためのスイッチと、入力端子へのプラグの挿入を検知した場合には、その入力端子を音声信号転送部に接続させるスイッチ制御部とを有するＡＶ装置を提供する。また、入力端子に入力される音声信号を、所定の音量レベル／音量バランス等に調整するＡＶ装置を提供する。【選択図】図１
2007089145.tif 000002
【特許請求の範囲】
【請求項１】
外部音声信号の入力を行うための入力端子と、
入力端子に対するプラグの挿抜を検知する検知部と、
内部取得されたＡＶ信号入力のためのＡＶ信号入力部と、
音声信号処理回路に音声信号を転送するための音声信号転送部と、
前記入力端子か、ＡＶ信号入力部かのいずれか一を選択して音声信号転送部に接続するためのスイッチと、
前記検知部にて入力端子へのプラグの挿入を検知した場合には、その入力端子を音声信号転送部に接続させるスイッチ制御をするスイッチ制御部と、
を有するＡＶ装置。
【請求項２】
前記音声信号転送部は、モニター出力処理回路に対して音声信号を転送するためのモニター出力転送手段を有し、
スイッチの切換をロックするためのロック信号を取得するロック信号取得部を有し、
前記ＡＶ信号入力部がスイッチによって音声信号転送部に接続されており、前記ロック信号取得部がロック信号を取得している場合には、
前記スイッチ制御部は、前記検知部での検知結果がプラグの挿入検知があったとの検知結果であっても入力端子に入力される音声信号を前記音声信号転送部のうちでモニター出力転送手段には接続させないスイッチ制御をするロックスイッチ制御手段を有する
請求項１に記載のＡＶ装置。
【請求項３】
前記スイッチ制御部は、
前記入力端子から入力される音声信号がスイッチによって音声信号転送部に接続されている状態で、前記検知部にて入力端子からのプラグの抜出を検知した場合には、音声信号転送部に接続する入力を入力端子からＡＶ信号入力部に切り換える抜出検知スイッチ制御手段を有する
請求項１又は２に記載のＡＶ装置。
【請求項４】
外部音声信号の入力を行うための入力端子と、
所定の音量レベルを定める情報である固定レベル情報を保持する固定レベル情報保持部と、
入力端子に入力される音声信号を、その音声信号の音量レベルに依存せずに前記固定レベル情報に基づいて定まる調整済音声信号に調整する音声信号調整部と、
を有するＡＶ装置。
【請求項５】
複数種類の出力端子と、
音量レベルを定める情報である音量レベル情報を取得する音量レベル情報取得部と、
前記音声信号調整部にて調整された調整済音声信号を、前記音量レベル情報に基づいて定まる再調整済音声信号に再調整する音声信号再調整部と、を有し、
前記音量レベル情報取得部は、出力端子ごとの音量レベルを定める情報である出力端子音量レベル情報を取得する出力端子音量レベル情報取得手段と、
前記音声信号再調整部は、前記音声信号調整部にて調整された調整済音声信号を、前記出力端子音量レベル情報に基づいて定まる再調整済音声信号に再調整する第一音声信号再調整手段と、
をさらに有する請求項４に記載のＡＶ装置。
【請求項６】
前記入力端子以外の一以上の他の入力端子と、
音量レベルを定める情報である音量レベル情報を取得する音量レベル情報取得部と、
前記音声信号調整部にて調整された調整済音声信号を、前記音量レベル情報に基づいて定まる再調整済音声信号に再調整する音声信号再調整部と、を有し、
前記音量レベル情報取得部は、入力端子ごとの音量レベルを定める情報である入力端子音量レベル情報を取得する入力端子音量レベル情報取得手段と、
前記音声信号再調整部は、前記音声信号調整部にて調整された調整済音声信号を含む音声信号を、前記入力端子音量レベル情報に基づいて定まる再調整済音声信号に再調整する第二音声信号再調整手段と、
をさらに有する請求項４に記載のＡＶ装置。
【請求項７】
複数種類のボリューム調整関数を保持するボリューム調整関数保持部と、
出力端子又は入力端子ごとに前記ボリューム調整関数の一を取得するボリューム調整関数取得部と、
前記ボリューム調整関数取得部にて取得したボリューム調整関数を利用して音量レベル情報を生成する音量レベル情報生成部と、
をさらに有する請求項５又は６に記載のＡＶ装置。
【請求項８】
前記入力端子への音声信号の入力終了時の再調整済音声信号の音量レベル情報を保持する音量レベル情報保持部を有し、
前記音量レベル情報取得部は、音声信号の入力再開時の最初の音量レベル情報を取得するに際して、この音量レベル情報保持部に保持された音量レベル情報を取得するデフォルト取得手段を有する請求項７に記載のＡＶ装置。
【請求項９】
入力端子に対するプラグの挿抜を検知して外部接続があるか判断する判断部をさらに有し、
前記判断部にて外部接続があると判断した場合には、前記音声信号調整部は、入力端子に入力される音声信号を、その音声信号の音量レベルに依存せずに前記固定レベル情報に基づいて定まる調整済音声信号に調整する請求項４から８のいずれか一に記載のＡＶ装置。
【請求項１０】
外部音声信号の入力を行うための入力端子と、
所定の音量バランス等を定める情報である固定バランス等情報を保持する固定バランス等情報保持部と、
入力端子に入力される音声信号を、その音声信号の音量バランス等に依存せずに前記固定バランス等情報に基づいて定まる音量バランス等調整済音声信号に調整する音声信号バランス等調整部と、
を有するＡＶ装置。
【請求項１１】
複数種類の出力端子と、
音量バランス等を定める情報である音量バランス等情報を取得する音量バランス等情報取得部と、
前記音声信号バランス等調整部にて調整された音量バランス等調整済音声信号を、前記音量バランス等情報に基づいて定まる音量バランス等再調整済音声信号に再調整する音声信号バランス等再調整部と、を有し、
前記音量バランス等情報取得部は、出力端子ごとの音量バランス等を定める情報である出力端子音量バランス等情報を取得する出力端子音量バランス等情報取得手段と、
前記音声信号バランス等再調整部は、前記音声信号バランス等調整部にて調整された音量バランス等調整済音声信号を、前記出力端子音量バランス等情報に基づいて定まる音量バランス等再調整済音声信号に再調整する第一音声信号バランス等再調整部と、
をさらに有する請求項１０に記載のＡＶ装置。
【請求項１２】
前記入力端子以外の一以上の他の入力端子と、
音量バランス等を定める情報である音量バランス等情報を取得する音量バランス等情報取得部と、
前記音声信号バランス等調整部にて調整された音量バランス等調整済音声信号を、前記音量バランス等情報に基づいて定まる音量バランス等再調整済音声信号に再調整する音声信号バランス等再調整部と、を有し、
前記音量バランス等情報取得部は、入力端子ごとの音量バランス等を定める情報である入力端子音量バランス等情報を取得する入力端子音量バランス等情報取得部と、
前記音声信号バランス等再調整部は、前記音声信号バランス等調整部にて調整された音量バランス等調整済音声信号を含む音声信号を、前記入力端子音量バランス等情報に基づいて定まる音量バランス等再調整済音声信号に再調整する第二音声信号バランス等再調整部と、
をさらに有する請求項１０に記載のＡＶ装置。
【請求項１３】
複数種類の音量バランス等調整関数を保持する音量バランス等調整関数保持部と、
出力端子又は入力端子ごとに前記音量バランス等調整関数の一を取得する音量バランス等調整関数取得部と、
前記音量バランス等調整関数取得部にて取得した音量バランス等調整関数を利用して音量バランス等情報を生成する音量バランス等情報生成部と、
をさらに有する請求項１１又は１２に記載のＡＶ装置。
【請求項１４】
前記入力端子への音声信号の入力終了時の音量バランス等再調整済音声信号の音量バランス等情報を保持する音量バランス等情報保持部を有し、
前記音量バランス等情報保持部は、音声信号の入力再開時の最初の音量バランス等情報を取得するに際して、この音量バランス等情報保持部に保持された音量バランス等情報を取得する音量バランス等デフォルト手段を有する請求項１３に記載のＡＶ装置。
【請求項１５】
入力端子に対するプラグの挿抜を検知して外部接続があるか判断する判断部をさらに有し、
前記判断部にて外部接続があると判断した場合には、前記音声信号バランス等調整部は、入力端子に入力される音声信号を、その音声信号の音量バランス等に依存せずに前記固定バランス等情報に基づいて定まる音量バランス等調整済音声信号に調整する請求項１０から１４のいずれか一に記載のＡＶ装置。
【請求項１６】
外部音声信号の入力を行うための入力端子と、
入力端子に対するプラグの挿抜を検知する検知部と、
内部取得されたＡＶ信号入力のためのＡＶ信号入力部と、
音声信号処理回路に音声信号を転送するための音声信号転送部と、
前記入力端子か、ＡＶ信号入力部かのいずれか一を選択して音声信号転送部に接続するためのスイッチと、を有するＡＶ装置の動作方法であって、
前記検知部にて入力端子へのプラグの挿入を検知した場合には、その入力端子を音声信号転送部に接続させるスイッチ制御をするスイッチ制御ステップを有するＡＶ装置の動作方法。
【請求項１７】
前記音声信号転送部は、モニター出力処理回路に対して音声信号を転送するためのモニター出力転送手段を有し、
スイッチの切換をロックするためのロック信号を取得するロック信号取得ステップを有し、
前記ＡＶ信号入力部がスイッチによって音声信号転送部に接続されており、前記ロック信号取得ステップにてロック信号を取得している場合には、
前記スイッチ制御ステップは、前記検知部での検知結果がプラグの挿入検知があったとの検知結果であっても入力端子に入力される音声信号を前記音声信号転送部のうちでモニター出力転送手段には接続させないスイッチ制御をするロックスイッチ制御ステップを有する
請求項１６に記載のＡＶ装置の動作方法。
【請求項１８】
前記スイッチ制御ステップは、
前記入力端子から入力される音声信号がスイッチによって音声信号転送部に接続されている状態で、前記検知部にて入力端子からのプラグの抜出を検知した場合には、音声信号転送部に接続する入力を入力端子からＡＶ信号入力部に切り換える抜出検知スイッチ制御ステップを有する
請求項１６又は１７に記載のＡＶ装置の動作方法。
【請求項１９】
入力端子に入力される音声信号を取得する音声信号取得ステップと、
所定の音量レベルを定める情報である固定レベル情報を取得する固定レベル情報取得ステップと、
前記音声信号取得ステップにて取得した音声信号を、その音声信号の音量レベルに依存せずに前記固定レベル情報取得ステップにて取得した固定レベル情報に基づいて定まる調整済音声信号に調整する音声信号調整ステップと、
を有するＡＶ装置の動作方法。
【請求項２０】
複数種類のボリューム調整関数から出力端子又は入力端子ごとに一のボリューム調整関数を取得するボリューム調整関数取得ステップと、
前記ボリューム調整関数取得ステップにて取得したボリューム調整関数を利用して出力端子又は入力端子ごとの音量レベルを定める音量レベル情報を生成する音量レベル情報生成ステップと、
前記音声信号調整ステップにて調整された調整済音声信号を、前記音量レベル情報生成ステップにて生成した音量レベル情報に基づいて定まる再調整済音声信号に再調整する音声信号再調整ステップと、
を有する請求項１９に記載のＡＶ装置の動作方法。
【請求項２１】
入力端子に入力される音声信号を取得する音声信号取得ステップと、
出力端子又は入力端子ごとの音量レベルを定める音量レベル情報を取得する音量レベル情報取得ステップと、
前記入力端子への音声信号の入力終了を検知する入力終了検知ステップと、
前記入力終了検知ステップにて音声信号の入力終了を検知した場合に、入力終了検知時の音量レベル情報を保持する音量レベル情報保持ステップと、
音声信号の入力再開時の最初の音量レベル情報を取得するに際して、この音量レベル情報保持ステップにて保持された音量レベル情報を取得するデフォルト取得ステップと、
を有するＡＶ装置の動作方法。
【請求項２２】
入力端子に入力される音声信号を取得する音声信号取得ステップと、
所定の音量バランス等を定める情報である固定バランス等情報を取得する固定バランス等情報取得ステップと、
前記音声信号取得ステップにて取得した音声信号を、その音声信号の音量バランス等に依存せずに前記固定バランス等情報取得ステップにて取得した固定バランス等情報に基づいて定まる音量バランス等調整済音声信号に調整する音声信号音量バランス等調整ステップと、
を有するＡＶ装置の動作方法。
【請求項２３】
複数種類の音量バランス等調整関数から出力端子又は入力端子ごとに一の音量バランス等調整関数を取得する音量バランス等調整関数取得ステップと、
前記音量バランス等調整関数取得ステップにて取得した音量バランス等調整関数を利用して出力端子又は入力端子ごとの音量バランス等を定める音量バランス等情報を生成する音量バランス等情報生成ステップと、
前記音声信号音量バランス等調整ステップにて調整された音量バランス等調整済音声信号を、前記音量バランス等情報生成ステップにて生成した音量バランス等情報に基づいて定まる音量バランス等再調整済音声信号に再調整する音声信号音量バランス等再調整ステップと、
を有する請求項２２に記載のＡＶ装置の動作方法。
【請求項２４】
入力端子に入力される音声信号を取得する音声信号取得ステップと、
出力端子又は入力端子ごとの音量バランス等を定める音量バランス等情報を取得する音量バランス等情報取得ステップと、
前記入力端子への音声信号の入力終了を検知する入力終了検知ステップと、
前記入力終了検知ステップにて音声信号の入力終了を検知した場合に、入力終了検知時の音量バランス等情報を保持する音量バランス等情報保持ステップと、
音声信号の入力再開時の最初の音量バランス等情報を取得するに際して、この音量バランス等情報保持ステップにて保持された音量バランス等情報を取得する音量バランス等デフォルト取得ステップと、
を有するＡＶ装置の動作方法。
【発明の詳細な説明】
【技術分野】
【０００１】
本発明は、入力端子から入力される音声信号を、ＡＶ装置の音声信号出力とすることを可能としたＡＶ（Ａｕｄｉｏ  Ｖｉｓｕａｌ）装置に関する。さらに、本発明は、外部から入力された音声信号をＡＶ装置の出力方法に合わせた音声信号に変換することのできるＡＶ装置に関する。
【背景技術】
【０００２】
現在、音楽の視聴スタイルが大幅に変化している。ユーザは、ＭＰ３（ＭＰＥＧ  Ａｕｄｉｏ  Ｌａｙｅｒ−３）プレイヤーや、ＨＤＤ（Ｈａｒｄ  Ｄｉｓｋ  Ｄｒｉｖｅ）プレイヤーなどに代表される各種の携帯型音楽プレイヤー（以下、「モバイルオーディオ」という）に圧縮した音楽ファイルを大量に保存して、その中から好みの曲を視聴している。このように多量の曲をモバイルオーディオに保存しておくことが可能となっているため、ユーザとしては、好みの曲を全てモバイルオーディオに保存することで、いつでもお気に入りの曲を聴くことが可能となっている。また、近年では、ラジオ番組の音声コンテンツなどをモバイルオーディオに保存、更新することで、音楽のみならず音声コンテンツをもモバイルオーディオで鑑賞可能となっている。このようにモバイルオーディオはユーザコンテンツのアーカイブセンターとしてその地位を構築しつつある。
【０００３】
ところで、モバイルオーディオは携帯型の音楽プレイヤーであり、通常はイヤホンやヘッドホンなどを用いて音楽を聴くことになる。このため、例えば自宅の部屋などにおいて、現在ユーザが視聴中のＡＶ機器にそのままモバイルオーディオを接続してその保存されている音楽を臨場感溢れる迫力のある音響で聴くことが通常はできなかった。なお、外部スピーカーなどに接続することでモバイルオーディオに保存されている音楽を大音響で聴くことが可能な場合もあるが、専用のＡＶアンプとスピーカーを用意しなければならないという問題や、ＡＶ機器とＡＶアンプの連携操作が必要となる問題や、そのスピーカーを設置する手頃な場所がないという問題等がある。
【０００４】
一方、最近では、大型の薄型テレビが増大してきており、数年後の完全デジタル放送化に向け今後ますます拡大が予測される。特にデジタル放送を受信可能な大型デジタルテレビでは内部の音声処理回路をデジタルアンプ化するとともに、大型の高性能スピーカーに出力して高音質で迫力のある音声再生ができる。しかるにこのような高性能スピーカーがテレビを視聴していない場合には効率的に使用されていなかった。また最近のＡＶ装置に付属されているスピーカーの音質も向上している。そこで、従来から部屋に配置されているテレビなどにモバイルオーディオを接続することで、設置場所や操作の煩わしさの問題を解消し、かつ、迫力ある音量で音楽を視聴することでモバイルオーディオに保存されている音楽を簡単操作で再生する新しい視聴方法が考えられる。
【０００５】
しかしながら、例えばテレビなどにおいて、「ビデオ入力」のように外部入力された音声信号をテレビのスピーカーなどから出力する場合には、ユーザは入力モードの切り換え処理をリモコンなどを通じて行う必要があった。また、特許文献１では、過去のユーザの視聴履歴を基に、入力ソースに変更があった場合に、より迅速かつ容易にユーザの嗜好にあった画面レイアウト及び音声出力モードへの移行を可能にする情報出力制御装置についての発明が開示されている。
【特許文献１】特開２００２−１８５８８１号公報
【発明の開示】
【発明が解決しようとする課題】
【０００６】
従来技術のように、ユーザの嗜好に合わせて音声出力モードを出力する場合には、ユーザの視聴履歴を参照しなければならず手続が煩雑であるという課題がある。また、ユーザが外部から入力される音声をテレビを通じて聴きたい場合であっても、入力モードの切り換えなどの各種処理を行う必要があり、迅速に外部から入力される音楽を楽しむことができないという課題がある。
【０００７】
また、特許文献１の情報出力制御装置は、音声出力先等を変更するものであり、音量レベル／音声バランス等は変更することができなかった。また、モバイルオーディオの使用環境の多くがこれまで屋外での使用を想定していたために屋内にある既存のＡＶ装置と連携して操作すると使い勝手が悪くなっていた。このため、在宅時でも既存のＡＶ装置を有効に活用してもっと手軽にモバイルオーディオにより音楽等を視聴したいという要望があった。また、パーソナルコンピューターやモバイルオーディオの内蔵スピーカーでは口径が小さく良質の音とは言えなかった。さらに、外部機器のスピーカーにより音楽等を視聴する場合には、ヘッドホン等で聴く場合と、室内で聴く場合には最適な音量／音声音量バランス等が異なり、接続の度に設定変更をしなければならないことが多く煩わしかった。
【０００８】
そこで、本発明は、かかる課題に鑑みてなされたものであり、外部からの音声信号を検知した場合に、簡易かつ迅速に音声信号の出力を切り換えることが可能なＡＶ装置を提供することを目的とする。また、外部オーディオ装置との接続端子を有するＡＶ装置であり、その視聴時の利便性をよくするために音声信号の調整を行うことのできるＡＶ装置を提供することを目的とする。
【課題を解決するための手段】
【０００９】
そこで、本発明においては、かかる課題を解決するために、外部音声信号の入力を行うための入力端子と、入力端子に対するプラグの挿抜を検知する検知部と、内部取得されたＡＶ信号入力のためのＡＶ信号入力部と、音声信号処理回路に音声信号を転送するための音声信号転送部と、前記入力端子かＡＶ信号入力部かのいずれか一を選択して音声信号転送部に接続するためのスイッチと、前記検知部にて入力端子へのプラグの挿入を検知した場合には、その入力端子を音声信号転送部に接続させるスイッチ制御をするスイッチ制御部と、を有するＡＶ装置を提供する。かかる構成により、入力端子にプラグを挿入した場合には、特別な設定を行うことなく音声信号の出力が切り換わるため、モバイルオーディオに保存されている音楽などの外部からの音声、音楽を迫力ある音響で聴くことができる。
【００１０】
また、前記音声信号転送部は、モニター出力処理回路に対して音声信号を転送するためのモニター出力転送手段を有してもよく、さらにスイッチの切換をロックするためのロック信号を取得するロック信号取得部を有してもよく、前記ＡＶ信号入力部がスイッチによって音声信号転送部に接続されており、前記ロック信号取得部がロック信号を取得している場合には、前記スイッチ制御部は、検知部での検知結果がプラグの挿入検知があったとの検知結果であっても入力端子に入力される音声信号を前記音声信号転送部のうちでモニター出力転送手段には接続させないスイッチ制御をするロックスイッチ制御手段を有してもよい。かかる構成により、例えばテレビ番組をビデオに録画している場合などにおいては、外部入力されているモバイルオーディオの音声信号をモニター出力としないで済む。また、前記スイッチ制御部は、前記入力端子から入力される音声信号がスイッチによって音声信号転送部に接続されている状態で、前記検知部にてプラグの抜出を検知した場合には、音声信号転送部に接続する入力端子を入力端子からＡＶ信号入力部に切り換える抜出検知スイッチ制御手段を有してもよい。かかる構成により、ＡＶ装置から出力される音声信号を、外部音声信号から通常の音声信号に戻す場合には、プラグを抜くだけで処理を完結することができる。
【００１１】
また、本発明は、外部音声信号の入力を行うための入力端子を有し、入力端子に入力される音声信号を、その音声信号の音量レベル／音量バランス等に依存せずに所定の音量レベルの音声信号に調整するＡＶ装置を提供する。さらに、本発明は、複数種類の出力端子を有する場合に、出力端子ごとに適切な音量レベル／音量バランス等の音声信号に調整するＡＶ装置を提供する。また、本発明は、複数種類の入力端子を有する場合に、入力端子ごとに適切な音量レベル／音声バランス等の音声信号に調整するＡＶ装置を提供する。
【００１２】
また、本発明は、複数種類のボリューム調整関数を保持し、前記ボリューム調整関数を利用して、出力端子又は入力端子ごとの音量レベルを設定することのできるＡＶ装置を提供する。また、同様に複数種類の音量バランス等調整関数を保持し、前記音量バランス等調整関数を利用して、出力端子又は入力端子ごとの音量バランス等を設定することのできるＡＶ装置を提供する。さらに、本発明は、入力端子への音声信号の入力終了時の音量レベル／音声バランス等を記憶することのできるＡＶ装置を提供する。
【００１３】
また、本発明は、入力端子に対するプラグの挿抜を検知することにより外部接続の有無を判断し、入力端子に入力される音声信号を、その音声信号の音量レベル／音声バランス等に依存せずに所定の音量レベル／音声バランス等の音声信号に調整するＡＶ装置を提供する。さらに、本発明は、上記ＡＶ装置の動作方法を提供する。
【発明の効果】
【００１４】
本発明は、入力端子へのプラグ挿入検知により、その入力端子を、音声信号処理回路に転送するための音声信号転送部に接続させることにより、プラグの挿抜に応じて外部音声信号をＡＶ装置の音声出力とすることができる。このため、モバイルオーディオなどからのプラグを入力端子に接続することで、モバイルオーディオなどに保存される音楽等を迫力ある音量で楽しむことができる。また、プラグの挿抜のみで音声出力信号を切り換えることが可能となるため、入力モードの変更などを行うといった処理が不要となり、利便性が高まる。さらには、モニター出力時には入力端子からの信号をモニター出力転送手段に接続させないことで、外部入力された音声信号をスピーカーなどから出力しつつ、モニター出力中のコンテンツの音声信号を適切に制御することができる。
【００１５】
また、本発明のＡＶ装置によって、モバイルオーディオなどの外部装置の設定による音量レベル／音量バランス等に依存せず、所定の音量レベル／音量バランス等で音楽等を視聴することができるため、在宅時に外部装置をＡＶ装置に接続して音楽等を視聴する場合に、音量が大きすぎる、音声が聞き取れない、高音が強調されすぎるといったような問題を解決することができる。このことにより、外部装置をＡＶ装置に接続するたびに設定を変更しなければならないといった煩わしさを軽減することができる。また、本発明のＡＶ装置によれば、出力機器ごとに音量レベル／音量バランス等に設定することも可能であるため、出力機器の性能や部屋の大きさ、またユーザの好みに合った音量レベル／音量バランス等を提供することができる。
【発明を実施するための最良の形態】
【００１６】
以下に図面を用いて本発明の実施の形態を説明する。なお、本発明は、これらの実施の形態に限定されるものではなく、その要旨を逸脱しない範囲において、種々なる態様で実施しうる。実施形態１は、主に請求項１、１６などについて説明する。実施形態２は、主に請求項２、１７などについて説明する。実施形態３は、主に請求項３、１８などについて説明する。実施形態４は、主に請求項４、１０、１９、２２について説明する。実施形態５は、主に請求項５、１１について説明する。実施形態６は、主に請求項６、１２について説明する。実施形態７は、主に請求項５、１３、２０、２３について説明する。実施形態８は、主に請求項８、１４、２１、２４について説明する。実施形態９は、主に請求項９、１５について説明する。
【００１７】
<<実施形態１>>
<実施形態１の概要>
本実施形態は、入力端子にてプラグの挿入検知があった場合には、その入力端子から入力される音声信号を音声信号出力とすることが可能なＡＶ装置に関するものである。図１は、本実施形態の概念の一例を示す図である。図１においては、ＡＶ装置である液晶テレビ（０１０１）の前面には、ヘッドホン用の音声出力端子（０１０２）の隣に「モバイルオーディオ」と記載された入力端子（０１０３）が設けられている。そして、この入力端子に対して、モバイルオーディオ端末（０１０４）の「ヘッドホン」（０１０５）や、「ラインアウト」（０１０６）などの出力端子と接続しているケーブルのプラグ（０１０７）を挿入すると、液晶テレビの音声出力が、モバイルオーディオ端末の音声出力に切り換わる。このため、自宅などに通常設置される液晶テレビなどを利用してモバイルオーディオ端末に保存されている音楽を迫力のある音響の環境で聴くことが可能となる。
【００１８】
<実施形態１の構成>
図２に本実施形態における機能ブロックの一例を示す。図２に示す本実施形態の「ＡＶ装置」（０２００）は、「入力端子」（０２０１）と、「検知部」（０２０２）と、「ＡＶ信号入力部」（０２０３）と、「音声信号転送部」（０２０４）と、「スイッチ」（０２０５）と、「スイッチ制御部」（０２０６）と、を有する。
【００１９】
本件発明の構成要素である各部、各手段は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００２０】
「ＡＶ装置」（０２００）は、少なくとも音声信号を出力することのできる機器をいい、合わせて映像を表示することができる機器であってもよい。例えば、液晶テレビやプラズマテレビなどの各種テレビ装置や、ホームシアターなどのコンポーネント装置、パーソナルコンピューター、オーディオプレーヤー、カーオーディオなどが挙げられる。これらは通常ユーザの自宅などに恒常的に設置してあるものであり、音声信号を大音量で出力することが可能であるため、かかるＡＶ装置に対してモバイルオーディオを接続することで、モバイルオーディオに保存されている音楽を迫力のある音響の環境で聴くことが可能となる。また、詳細については後述する。
【００２１】
「入力端子」（０２０１）は、プラグの挿抜が可能な外部音声信号入力のための端子である。「プラグ」とは、例えばモバイルオーディオのヘッドホン端子やラインアウト端子と接続するケーブルなどの先端部分の差込部のことである。プラグの種類としては、ｉ．ＬＩＮＫ（登録商標）（ＡＵＤＩＯ）入力端子、ＲＣＡ同軸デジタル入力端子、角型光デジタル入力端子、ＲＣＡアナログ入力端子、ＡＶ入力端子、Ｓ端子、コンポーネント端子、Ｄ端子、ＨＤＭＩ端子、ドルビーデジタルＲＦ入力端子、など種々の入力端子を用いることができる。具体的には、一般的に使用されている３．５ｍｍや５．５ｍｍのオーディオ端子が挙げられるが、特に３．５ｍｍのオーディオ端子が望ましい。テレビなどのＡＶ装置は薄型化が進んでいるため、３．５ｍｍのプラグが利用される場合が多いからである。また、無線の場合には、電波、赤外線、光通信等を用いることができる。「外部音声信号」とはＡＶ装置の外部から入力される音声信号のことである。具体的には主にモバイルオーディオから入力される音声信号のことであるが、外部音声信号は必ずしもモバイルオーディオからの信号に限られず、音声出力機能を有し、かつＡＶ装置と接続することのできる装置からの信号であればよい。ＩＣレコーダやＤＶＤプレイヤーなど、外部から入力される音声信号であればどのような機器からの音声信号であってもよい。なお、本発明のＡＶ装置において、入力端子の位置は特に限定されないが、モバイルオーディオなどの外部装置との接続を行い易くするため、図１に示すようにＡＶ装置前面側に設けることが望ましい。これにより、例えば、大型の液晶テレビを壁際に近接して設置した場合でもプラグの挿抜が容易となり、ユーザにとって利便性が向上する。
【００２２】
「検知部」（０２０２）は、入力端子に対するプラグの挿抜を検知するように構成されている。「プラグの挿抜を検知」とは、プラグの挿入及び抜出を検知することである。具体的には、まず所定の信号を周期的に収集しておく。そして、プラグが挿入された場合には、端子が物理的に接続状態を示すＬＯＷの状態になり、また、プラグを抜き出した場合には、非接続状態を示すＨＩＧＨの状態になるため、抵抗値が変わり収集される信号に変化が生じプラグの挿抜を検知できる。判断部は、プラグの挿抜時だけでなく、プラグ挿入時にＡＶ装置の電源を入れた場合にも、信号の到来によりプラグの挿入を検知して、外部接続があるかを判断することができるようにしてもよい。
【００２３】
「ＡＶ信号入力部」（０２０３）とは、内部取得されたＡＶ信号入力のための端子回路である。「内部取得」とは、ＡＶ装置の内部にて取得されることであり、入力端子（０２０１）とは別の系統にて取得されることを意味する。「内部取得されたＡＶ信号」とは、例えば内部又は外部チューナやインターネット回線を介して取得した放送番組の映像信号や音声信号の場合が挙げられる。その他、ＡＶ装置に外部接続しているビデオやＤＶＤなどの映像再生装置からの取得した映像信号や音声信号なども含まれる。
【００２４】
「音声信号転送部」（０２０４）は、音声信号処理回路に音声信号を転送するための端子回路である。「音声信号処理回路」とは、ＡＶ装置から出力される音声信号を処理する回路のことである。音声信号処理回路に音声信号が送られると、ＡＶ装置はその音声信号を自身のスピーカーなどから出力することになる。即ち、外部入力あるいは内部入力された音声信号は、音声信号転送部を経由することで、その音声信号をＡＶ装置の出力信号にすることが可能となる。なお、音声信号処理回路は、スピーカーからの音声出力のほか、ＡＶ装置のヘッドホン端子から出力される音声信号の処理を行うことも可能である。
【００２５】
「スイッチ」（０２０５）は、前記入力端子か、ＡＶ信号入力部かのいずれか一を選択して音声信号転送部に接続するためのものである。このように、スイッチによって音声信号転送部に、入力端子か、ＡＶ信号入力部かが択一的に接続されることになる。
【００２６】
「スイッチ制御部」（０２０６）は、検知部にて前記入力端子へのプラグの挿入検知があった場合には、その入力端子を音声信号転送部に接続させるスイッチ制御をする。即ち、入力端子にてプラグの挿入検知をした場合には、その外部音声信号をＡＶ装置の音声信号出力として本体の内蔵スピーカー（図示しない）や外部接続したＡＶアンプ等のシステムスピーカー（図示しない）から再生することができる。このため、ユーザは、例えばリモコン装置を操作してＡＶ装置の入力モードなどの設定（例えばビデオ１、ビデオ２など）を変更することなく、プラグを挿入することのみによって、入力される外部音声信号をＡＶ装置の音声信号出力とすることが可能となる。スイッチ制御部は、より具体的には、複数のプログラムを格納したＲＯＭなどのメモリや、このプログラムを実行するＣＰＵから構成されている。そして、前述したプラグの挿入検知によって周期的に送られる信号を監視するプログラムにて、周期的に送られる信号がＬＯＷの状態になったことを検知した場合には、ＣＰＵはスイッチに対して音声信号転送部を入力端子に接続させる命令を出力する。このようにしてスイッチ制御部はスイッチ制御を実現している。なお、以上の説明はプログラムを用いる例についての説明であるが、これらの処理を組み込んだスイッチ制御回路によって同様の処理を実現することも可能である。
【００２７】
図３は、本実施形態におけるＡＶ装置を模式的に示した図である。まず、ＡＶ装置（０３００）においては、チューナ（０３０３）を経由して内部取得されたＡＶ信号を入力するＡＶ信号入力部（０３０４）が、スイッチ（０３０５）によって音声信号転送部（０３０７）に接続されている。音声信号転送部（０３０７）は、音声信号処理回路（０３０８）に音声信号としてＡＶ信号を転送している。ここで、ＡＶ装置の外部から、モバイルオーディオと接続しているケーブルのプラグ（０３０１）が入力端子（０３０２）に入力されると、スイッチ制御部（０３０６）は、スイッチ（０３０５）をＡＶ信号入力部（０３０４）から、入力端子（０３０２）へと切り換える処理を行う。これにより、外部音声信号がＡＶ装置からの音声出力信号となる。このように、入力端子にプラグが挿入された場合には、自動的に音声信号の処理が切り替わるため、ユーザとしては、プラグを挿入するだけで、その外部音声（例えば、モバイルオーディオにて再生されている音楽）を、ＡＶ装置のスピーカーなどから聴くことが可能となる。
【００２８】
<実施形態１の処理の流れ>
図４は、本実施形態における処理の流れの一例を示す図である。まず、検知部にて入力端子へのプラグの挿入検知があるかを判断する（Ｓ０４０１）。ステップＳ０４０１にてプラグの挿入を検知した場合には、入力端子を音声信号転送部に接続させる（Ｓ０４０２）。一方、ステップＳ０４０１にてプラグの挿入検知がない場合には、特にスイッチ制御の処理を行わない。
【００２９】
<実施形態１の効果>
本実施形態におけるＡＶ装置は、入力端子へのプラグの挿入検知があった場合には、その入力端子を音声信号転送部に接続することにより、外部音声信号をＡＶ装置の音声出力信号へと自動的に切り換えることが可能となる。このため、ユーザは入力モードの設定などを変更することなく、プラグの挿入のみによって外部入力音声をＡＶ装置の出力音声とすることが可能となり、モバイルオーディオに保存されている音楽などをＡＶ装置のスピーカーを通じて臨場感と迫力ある音響で聴くことが可能となる。
【００３０】
<<実施形態２>>
<実施形態２の概要>
本実施形態は、入力端子にプラグを挿入した場合であっても、例えばＡＶ装置から録画装置に予約録画中のコンテンツがある場合等のように、その録画装置に対して出力する音声信号を、外部入力される音声信号としない処理を行うＡＶ装置に関するものである。
【００３１】
<実施形態２の構成>
図５に本実施形態における機能ブロックの一例を示す。図５に示す本実施形態の「ＡＶ装置」（０５００）は、「入力端子」（０５０１）と、「検知部」（０５０２）と、「ＡＶ信号入力部」（０５０３）と、「音声信号転送部」（０５０４）と、「スイッチ」（０５０５）と、「スイッチ制御部」（０５０６）と、「ロック信号取得部」（０５０８）と、を有する。「音声信号転送部」（０５０４）は、「モニター出力転送手段」（０５０７）を有する。「スイッチ制御部」（０５０６）は、「ロックスイッチ制御手段」（０５０９）を有する。
【００３２】
本実施形態は、実施形態１で説明したＡＶ装置が、さらに「モニター出力転送手段」（０５０７）と、「ロック信号取得部」（０５０８）と、「ロックスイッチ制御手段」（０５０９）と、を有することを特徴とする。「モニター出力転送手段」（０５０７）と、「ロック信号取得部」（０５０８）と、「ロックスイッチ制御手段」（０５０９）と、を除く各構成については実施形態１で説明したものと同様であるため、ここでの説明は省略する。
【００３３】
「モニター出力転送手段」（０５０７）は、モニター出力処理回路に対して音声信号を転送するための端子回路である。「モニター出力処理回路」とは、モニター出力の際の処理を行う回路である。「モニター出力」とは、ＡＶ装置から外部接続した他の装置に対して映像や音声の信号を出力することである。具体例として、ＡＶ装置がテレビである場合を基に説明する。図６は、チューナを有しているテレビからＤＶＤレコーダなどの録画装置に対してモニター出力を行う際のケーブル接続の一例を示す図である。図６の例では、テレビ（０６０１）の背面部分に備えられている映像出力端子や音声出力端子が、録画装置の各入力端子と接続しており、テレビからの出力信号が録画装置（０６０２）の入力信号となる。そして、例えばデジタル放送などを録画する場合には、テレビから録画装置に対して映像や音声の信号を出力する（モニター出力）。録画装置ではその出力された映像や音声などの信号を媒体に書き込むことで、デジタルテレビ番組の録画を実行している。かかるモニター出力は、モニター出力処理回路のように、通常の出力系統とは異なる系統の回路を備えることによって実現している。異なる系統の回路を有していることにより、テレビのチャンネルなどを切り換えても、モニター出力されている映像や音声などの信号は固定的に出力されるため、録画したい番組などのコンテンツをそのまま記録することが可能となっている。モニター出力転送手段（０５０７）は、このようなモニター出力を行うモニター出力回路に対して音声信号を転送するためのものである。
【００３４】
「ロック信号取得部」（０５０８）は、スイッチの切換をロックするためのロック信号を取得する。「スイッチの切換をロック」とは、例えば入力端子にてプラグの挿入検知があった場合であっても、スイッチ（０５０５）の切換を行わないようにスイッチを固定することをいう。「ロック信号」は、例えばモニター出力を行うようにＡＶ装置の設定がなされた場合に出力される信号のことである。
【００３５】
「ロックスイッチ制御手段」（０５０９）は、前記ＡＶ信号入力部がスイッチによって音声信号転送部に接続されており、前記ロック信号取得部がロック信号を取得している場合には、検知部の検知結果がプラグの挿入検知があったとの検知結果であっても入力端子に入力される音声信号を前記音声信号転送部のうちでモニター出力転送手段には接続させないスイッチ制御をする。図７は、各端子等の関係についての概念を示す図である。図７の前段階においては、ＡＶ信号入力部が音声信号転送部に接続されており、図外のロックスイッチ取得部がロック信号を取得していたものとする。この場合において、検知部にて入力端子へのプラグの挿入を検知した場合には、ロックスイッチ制御手段によって制御されるスイッチは、音声信号転送部に含まれるヘッドホン出力転送手段やスピーカー出力転送手段には入力端子を接続させるが、モニター出力転送手段には入力端子を接続させない（図７（ａ））。このため、モニター出力転送手段からモニター出力処理回路に対しては外部音声信号が転送されることはないため、モバイルオーディオなどの外部音楽をＡＶ装置で聴きながら、放送番組などの録画も行うことができる。
【００３６】
なお、前述の例とは逆に、入力端子が音声信号転送部に接続している場合において、ロック信号取得部がロック信号を取得した場合には、スイッチ制御部は、入力端子に入力される音声信号を音声信号転送部のうちでモニター出力転送手段には接続させないスイッチ制御を行ってもよい。つまり、ロック信号取得部がロック信号を取得した場合には、本実施形態の構成外の他スイッチによってＡＶ信号入力部をモニター出力転送手段に接続させるためのスイッチ制御が行われてもよい（図７（ｂ））。
【００３７】
<実施形態２の処理の流れ>
図８に本実施形態における処理の流れの一例を示す。ステップＳ０８０１は実施形態１で説明したものと同様である。ステップＳ０８０１にてプラグの挿入を検知した場合には、ステップＳ０８０２に進み、ロック信号を取得しているかを判断する。ステップＳ０８０２にてロック信号を取得していないと判断した場合には、ステップＳ０８０４に進み入力端子を音声信号転送部に接続させる。ステップＳ０８０４は、実施形態１で説明したものと同様である。一方、ステップＳ０８０２にてロック信号を取得したと判断した場合には、ステップＳ０８０３に進み、入力端子に入力される音声信号をモニター出力転送手段に接続させない。ステップＳ０８０３は、換言すれば、入力端子をモニター出力転送手段以外の音声信号転送部に接続する処理である。
【００３８】
<実施形態２の効果>
本実施形態におけるＡＶ装置は、モニター出力処理回路に対して音声信号を転送するためのモニター出力転送手段を有している。そして、ロック信号を取得している場合には、入力端子にてプラグの挿入検知があった場合であっても、入力端子をモニター出力転送手段に接続させないスイッチ制御を行うことにより、モニター出力時の音声信号を外部入力された音声信号ではなく、内部取得したＡＶ信号とすることが可能となる。このため、デジタル放送番組などをモニター出力にて録画機器に録画している最中に、モバイルオーディオをＡＶ装置の入力端子に接続する場合であっても、モニター出力の音声信号はそのままデジタル放送番組などの音声信号とすることができるため、適切なコンテンツを録画し続けることが可能であるとともに、モバイルオーディオなどの音楽を、ＡＶ装置のスピーカーなどを利用して臨場感溢れる迫力ある音響で聴くことが可能となる。
【００３９】
<<実施形態３>>
<実施形態３の概要>
本実施形態は、入力端子にプラグが挿入されたことに起因して入力端子からの音声信号入力がＡＶ装置からの音声信号出力となっている場合において、そのプラグを抜き出した場合には、元の放送番組などの音に自動的に切り替わることを特徴とするＡＶ装置に関するものである。
【００４０】
<実施形態３の構成>
図９に本実施形態における機能ブロックの一例を示す。図９に示す本実施形態の「ＡＶ装置」（０９００）は、「入力端子」（０９０１）と、「検知部」（０９０２）と、「ＡＶ信号入力部」（０９０３）と、「音声信号転送部」（０９０４）と、「スイッチ」（０９０５）と、「スイッチ制御部」（０９０６）と、を有する。スイッチ制御部（０９０６）は、「抜出検知スイッチ制御手段」（０９０７）を有する。
【００４１】
本実施形態は、実施形態１又は２で説明したＡＶ装置が、さらに「抜出検知スイッチ制御手段」（０９０７）を有することを特徴とするものである。「抜出検知スイッチ制御手段」（０９０７）を除く各構成については実施形態１又は２で説明したものと同様であるため、ここでの説明は省略する。
【００４２】
「抜出検知スイッチ制御手段」（０９０７）は、前記入力端子から入力される音声信号がスイッチによって音声信号転送部に接続されている状態で、検知部にて前記入力端子からのプラグの抜出を検知した場合には、音声信号転送部に接続する入力を入力端子からＡＶ信号入力部に切り換える。既に説明したように、検知部にて入力端子へのプラグの挿入検知があった場合には、入力端子を音声信号転送部に接続させるスイッチ制御が行われるが、本実施形態では、その場合において、さらにプラグを抜き出した場合には、ＡＶ信号入力部を音声信号転送部に接続するスイッチ制御が行われる。例えば、外部音声としてモバイルオーディオを用いて音楽を聴いていたユーザは、放送番組を視聴したい場合には、差し込んだプラグを抜き出すだけで、元の放送番組の音声を聴くことができる。このように、単純なプラグの挿入、抜き出しのみに応じてＡＶ装置からの出力音声が切り換わるため、ユーザは複雑な設定を行うことなく外部の音楽などを聴き、また、元の放送番組などの音声を視聴することができる。なお、プラグを抜き出す際には、既に説明したように、周期的に収集している信号が、ＬＯＷからＨＩＧＨに変わるため、プラグの抜き出しを検知することができる。
【００４３】
<実施形態３の処理の流れ>
図１０は、本実施形態における処理の流れの一例を示す図である。ステップＳ１００２までの処理の流れについては実施形態１で説明したものと同様である。なお、実施形態２に、以降で示すステップを加えることも可能である。ステップＳ１００３においては、入力端子にてプラグの抜出検知があったかを判断する。プラグの抜出検知があった場合には、ステップＳ１００４に進み、音声信号転送部に接続する入力端子を入力端子からＡＶ信号入力部に切り換える。
【００４４】
<実施形態３の効果>
本実施形態のＡＶ装置においては、入力端子が音声信号転送部に接続されている場合において、プラグを抜出検知があった場合には、音声信号転送部に接続する入力をＡＶ信号入力部に切り換えることにより、プラグの挿入前の音声出力に復帰させることができる。このため、プラグの挿入、抜出のみによって、外部音声信号をＡＶ装置の音声出力とすることが可能になるため、ユーザにとって利便性が向上する。
【００４５】
<<実施形態４>>
<実施形態４の概要>
外部装置から出力される音声信号の音量レベル／音量バランス等は、その機種やユーザの設定などにより様々であり、外部装置とＡＶ装置とを接続した場合に、外部装置の設定に従った音量レベル／音量バランス等により音声を出力すると、音量が大きすぎたり、逆に小さすぎたり、又は高音が大きすぎたりすることがある。本実施形態のＡＶ装置によれば、ＡＶ装置に入力される音声信号を外部オーディオ装置側の音量レベル／音量バランス等の設定によらず、適切な音量レベル／音量バランス等に調整して出力することができる。
【００４６】
実施形態４−１では音量レベルに関する調整を行うことのできるＡＶ装置について、実施形態４−２では音量バランス等に関する調整を行うことのできるＡＶ装置について説明する。
【００４７】
<実施形態４−１の構成>
図１１に本実施形態での機能ブロックの一例を示した。本実施形態の「ＡＶ装置」（１１００）は、「入力端子」（１１０１）と、「固定レベル情報保持部」（１１０２）と、「音声信号調整部」（１１０３）を有する。
【００４８】
本実施形態の「入力端子」（１１０１）に入力される「音声信号」とは、外部装置から出力された音声等の音の大きさや高低等を定める音量レベルや周波数等の情報であり、アナログ信号であってもデジタル信号であってもよい。なお、デジタル信号の場合は圧縮信号または非圧縮信号のいずれでもよい。アナログ信号である場合には、Ａ／Ｄ変換を行い後の処理を行う。「外部装置」とは、前述のようにモバイルオーディオやＩＣレコーダ、ＤＶＤプレイヤーなどの音声出力機能を有し、かつＡＶ装置と接続することのできる装置をいう。
【００４９】
「固定レベル情報保持部」（１１０２）は、所定の音量レベルを定める情報である固定レベル情報を保持するように構成されている。「音量レベル」とは、音の大きさ（ボリューム）を定める最大電圧値をいう。「固定レベル情報」とは、所定の音量レベルを定める情報であり、一の音量レベルを与える情報である。固定レベル情報保持部は、ＡＶ機器を使用する環境に合わせ、適切な音量レベルになるようにデフォルト値として、例えば１０Ｖのような一の音量レベル情報を保持している。
【００５０】
「音声信号調整部」（１１０３）は、入力端子に外部接続がある場合には、入力端子に入力される音声信号を、その音声信号の音量レベルに依存せずに、前記固定レベル情報に基づいて定まる調整済音声信号に調整するように構成されている。「音声信号の音量レベルに依存せずに」とは、外部音声信号の音量レベルがどのような音量レベルであっても、音声信号の入力があったときにはということである。「調整済音声信号」とは、前記固定レベル情報保持部で保持されている固定レベル情報に基づいて定まる所定音量レベルの音声信号である。例えば、固定レベル情報保持部にて１０Ｖという固定レベル情報が保持されており、入力端子から音量レベルが５Ｖの音声信号が入力された場合には、音声信号調整部は入力された音声信号の音量レベルを１０Ｖにした調整済音声信号に調整する。従来は、音声信号が、外部装置側で増幅されＡＶ装置側で再度音声信号を増幅して出力するような時には、再度音声信号が増幅されてしまい、音量が予想以上に大きくなることがあった。また逆に、外部装置側で十分に増幅されずＡＶ装置に入力される場合には、音声信号の増幅が十分に行われず、音量が小さく感じられることもあった。音声信号調整部は、固定レベル情報に基づいて定まる調整済音声信号に調整することにより、外部装置側の仕様や設定によらず、常に一定の音量レベルで出力できるように音量レベルの調整を行う。
【００５１】
図１２は、音声信号調整部の構成の一例を示す概略図である。この図の構成においては、音声信号調整部（１２００）は、「増幅器」（１２０１）と、「比較器」（１２０２）からなる。「増幅器」（１２０１）は、所定の増幅係数にて入力される音量レベルの増幅を行う。「比較器」（１２０２）は、固定音量レベル情報（１２０３）を取得し、増幅器にて増幅された音量レベルが固定音量レベルであるか比較する。増幅係数を変更してこの操作を繰り返し、固定音量レベルに増幅された場合に音声信号を出力する。
【００５２】
具体的な音声信号調整部の処理の流れを、図１３を用いて説明する。入力端子に入力される音声信号ｆ１（Ｖｐ-ｐ）を取得する（Ｓ１３０１）。次に固定レベル情報（Ｖｍａｘ）を取得する（Ｓ１３０２）。Ｖｐ-ｐとＶｍａｘを比較し、Ｖｐ-ｐがＶｍａｘよりも小さい場合には（Ｓ１３０３ＹＥＳ）、増幅係数Ｚ（Ｓ１３０５）にてｆ１を増幅する（Ｓ１３０５）。増幅したＶｐ-ｐ＊ＺとＶｍａｘを比較し、Ｖｐ-ｐ＊ＺがＶｍａｘよりも小さい場合には（Ｓ１３０６ＮＯ）、増幅係数Ｚを一増やし（Ｓ１３０８）、再度増幅する。この処理を繰り返し、Ｖｐ-ｐ＊ＺがＶｍａｘよりも大きくなった時（Ｓ１３０３ＹＥＳ）のＺを固定する（Ｓ１３０７）。また入力された音声信号Ｖｐ-ｐがＶｍａｘよりも大きい場合には（Ｓ１３０３ＮＯ）、増幅係数Ｚ（Ｓ１３０９）にてｆ１を増幅する（Ｓ１３１０）。増幅したＶｐ-ｐ＊ＺとＶｍａｘを比較し、Ｖｐ-ｐ＊ＺがＶｍａｘよりも大きい場合には（Ｓ１３１１ＮＯ）、増幅係数Ｚを一減らし（Ｓ１３１２）、再度増幅する。この処理を繰り返し、Ｖｐ-ｐ＊ＺがＶｍａｘよりも小さくなった時（Ｓ１３１１ＹＥＳ）のＺを固定する（Ｓ１３０７）。
【００５３】
<実施形態４−１の処理の流れ>
図１４は、実施形態４−１の処理の流れの一例を示したものである。まず、入力端子に入力される音声信号を取得する（Ｓ１４０１）。次に、音量レベルを定める情報である固定レベル情報を取得する（Ｓ１４０２）。最後に、入力端子に入力される音声信号を、その音声信号の音量レベルに依存せずに前記固定レベル情報に基づいて定まる調整済音声信号に調整する（Ｓ１４０３）。
【００５４】
具体的には、入力端子への信号の入力を検知した場合には、入力信号から音声信号の抽出を行う。例えば、映像を伴う信号であれば映像信号と音声信号に分離し、音声信号のみを音声信号調整部に送信する。また、入力された音声信号がアナログ信号である場合には、デジタル信号に変換する。音声信号調整部は、まず入力端子から音声信号を受信すると、記録領域から音量レベルを定める情報である固定レベル情報を取得する。次に、入力された音声信号の音量レベルを、固定レベル情報で定まる音量レベルの音声信号である調整済音声信号に変換する。変換された調整済音声信号を出力機器等によって出力することにより、外部装置の音量レベルによらず、一定の音量の音声を出力することができる。
【００５５】
<実施形態４−２の構成>
図１５に本実施形態での機能ブロックの一例を示した。本実施形態は実施形態４−１の音量レベルの調整に代えて、音量バランス等を調整するものである。本実施形態の「ＡＶ装置」（１５００）は、「入力端子」（１５０１）と、「固定バランス等情報保持部」（１５０２）と、「音声信号バランス等調整部」（１５０３）とを有する。
【００５６】
「固定バランス等情報保持部」（１５０２）は、音量バランス等を定める情報である固定バランス等情報を保持するように構成されている。「音量バランス等」とは、周波数によって定まる音声の低音、中音、高音などの音程の強調度合い、スピーカーのバランスなどをいう。周波数による音程の強調度合いの分類は、これら３つの帯域に分けるものに限られず、さらに細かく５つの帯域でも、大きく低音、高音の２つの帯域であってもよい。また、周波数帯域はもっと多くても、一つであってもよい。スピーカーのバランスとは、各スピーカーの強調度合いであり、左右２つのスピーカを有している場合には、左右どちらかの音量を大きくすることができ、５．１ｃｈのスピーカーの場合には、５つのスピーカーのバランスとなる。「固定バランス等情報」とは、一定の音量バランス等を表す情報である。例えば、低音、高音、左右スピーカーのバランスの設定が可能なＡＶ装置の場合には、一般的な音量バランス等としてすべて中央値とした低音±０ｄＢ、高音±０ｄＢ、バランス±０ｄＢといった情報であったり、低音域を強調したい場合には低音＋６ｄＢ、高音±０ｄＢ、バランス±０ｄＢといった情報を保持している。固定バランス等情報保持部は、ＡＶ機器を使用する環境に合わせ、適切な音量バランス等になるようにデフォルト値として固定バランス等情報を保持している。また、入力端子から入力される音声信号に関連づけて音楽等の属性情報を取得できる場合には、その属性情報に合う最適の固定バランス等情報を取得するようにしてもよい。音楽等の属性情報とは、ポップス、ロック、クラシック等の情報である。
【００５７】
「音声信号バランス等調整部」（１５０３）は、入力端子に外部接続がある場合には、入力端子に入力される音声信号を、その音声信号の音量バランス等に依存せずに前記固定バランス等情報に基づいて定まる音量バランス等調整済音声信号に調整するように構成されている。「音声信号の音量バランス等に依存せずに」とは、外部装置の音声信号の音量バランス等がどのような音量バランス等であっても、外部音声信号の入力があったときにはということである。「音量バランス等調整済音声信号」とは、前記固定バランス等情報保持部で保持されている固定バランス等情報に基づいて定まる所定音量バランス等の音声信号である。低音、高音、左右スピーカーのバランスの設定が可能なＡＶ装置において、固定バランス等情報保持部にて音量バランス等をすべて中央値とした低音±０ｄＢ、高音±０ｄＢ、バランス±０ｄＢという情報を保持していた場合に、外部オーディオ装置の音量バランス等の設定が低音域を強調するように低音＋２ｄＢ、高音±０ｄＢ、バランス±０ｄＢと設定されていても、音声信号バランス等調整部において低音±０ｄＢ、高音±０ｄＢ、バランス±０ｄＢの音量バランス等調整済音声信号に調整される。
【００５８】
図１６は、スピーカーのバランスを調整する音声信号バランス等調整部の構成の一例を表す概略図である。周波数帯域のバランスの調整も、図１６に示すスピーカーのバランスの調整と同様の原理によって行うことができる。図１６では、左右（Ｌ、Ｒ）の２つの音声信号が入力された場合を考える。この図のように、音声信号バランス等調整部（１６００）は、「バランサー」（１６０１）と、「比較器」（１６０２）とからなる。「バランサー」（１６０１）は、所定のバランス修正係数にて音量バランス等の修正を行う。「比較器」（１６０２）は、固定音量バランス等情報（１６０３）を取得し、バランサーにて修正された音量バランス等を固定バランス等情報にて増幅を行う。そして、固定バランス等の音量バランス等に増幅した音声信号を出力する。
【００５９】
図１７は、具体的な音声信号バランス等調整部の処理の流れの一例を示している。入力端子に入力される音声信号ｆ１（ＶＬ、ＶＲ）を取得する（Ｓ１７０１）。次に、ＶＬとＶＲとを比較し、一の音量レベルｆ２（ＶＬＲ、ＶＬＲ）にする（Ｓ１７０２）。ＶＬＲは、ＶＬ又はＶＲのどちらか一の音量レベルであってもよいし、ＶＬとＶＲの平均値としてもよい。続いて、固定バランス等情報Ｗを取得する（Ｓ１７０３）。ｆ２を固定バランス等情報Ｗにて増幅する（Ｓ１７０４）。
【００６０】
<実施形態４−２の処理の流れ>
図１８は、実施形態４−２の処理の流れの一例を示したものである。まず、入力端子に入力される音声信号を取得する（Ｓ１８０１）。次に、音量バランス等を定める情報である固定バランス等情報を取得する（Ｓ１８０２）。最後に、入力端子に入力される音声信号を、その音声信号の音量バランス等に依存せずに前記固定バランス等情報に基づいて定まる音量バランス等調整済音声信号に調整する（Ｓ１８０３）。
【００６１】
<実施形態４の効果>
本実施形態のＡＶ装置によれば、外部装置の音声信号を外部装置側の音量レベル／音量バランス等の設定によらず、音声信号を適切な音量レベル／音量バランス等に調整して出力することができ、急に大きな音が出力されたりすることがなく、外部装置とＡＶ装置とを接続する度にユーザが音量設定をし直さなければならないという煩わしさを解消することができる。
【００６２】
<<実施形態５>>
<実施形態５の概要>
音声信号の増幅処理は、外部入力機器や出力機器が行う場合と、ＡＶ装置側で行う場合がある。そのため、出力機器とＡＶ装置の組み合わせによって最終的に出力機器から出力される音量レベル／音量バランス等に差が生じることになる。本実施形態のＡＶ装置によれば、外部入力機器側の音量レベル／音量バランス等の設定によらず、ＡＶ装置のスピーカー、ヘッドホンなどが接続される複数の出力端子ごとに適切な音量レベル／音量バランス等の音声信号に調整して出力することができる。
【００６３】
実施形態５−１では音量レベルに関する調整を行うことのできるＡＶ装置について、実施形態５−２では音量バランス等に関する調整を行うことのできるＡＶ装置について説明する。
【００６４】
<実施形態５−１の構成>
図１９に本実施形態での機能ブロックの一例を示した。本実施形態の「ＡＶ装置」（１９００）は、実施形態４−１を基本として「入力端子」（１９０１）と、「固定レベル情報保持部」（１９０２）と、「音声信号調整部」（１９０３）と、「音量レベル情報取得部」（１９０４）と、「音声信号再調整部」（１９０５）と、「出力端子」（１９０６）とを有し、さらに音量レベル情報取得部（１９０４）が「出力端子音量レベル情報取得手段」（１９０７）を有し、音声信号再調整部（１９０５）が、「第一音声信号再調整手段」（１９０８）を有することを特徴とする。
【００６５】
「音量レベル情報取得部」（１９０４）は、音量レベルを定める情報である音量レベル情報を取得するように構成されている。音量レベル情報は、１０Ｖといった一の値の情報でもよいし、５ｄＢ大きくするといった情報でもよい。音量レベル情報の取得は、あらかじめデフォルト値として設定されているものを記憶領域から取得するようにしてもよいし、ユーザがリモコンなど入力手段などにより入力することにより取得するようにしてもよい。
【００６６】
「出力端子音量レベル情報取得手段」（１９０７）は、本実施形態の音量レベル情報取得部（１９０４）が有する手段で、出力端子音量レベル情報を取得するように構成されている。「出力端子音量レベル情報」とは、出力端子ごとの音量レベルを定める情報である。「出力端子ごと」とは、間接的に出力端子に接続される出力機器ごとということである。出力端子に関しては、後述する。出力端子音量レベル情報取得部は、一の出力端子に対し一の音量レベルを定める情報を取得する。例えば、ヘッドホン端子に出力する場合には６ｄＢ下げる、スピーカーの接続された出力端子に出力する場合には６ｄＢ上げるという情報を取得する。
【００６７】
図２０は、出力端子音量レベル情報をＸＭＬ形式で表したリストの一例である。この図にあるように、出力端子ごとに増幅する音量レベルのデータが定められている。例えば、出力端子３は「６ｄＢ下げる」という出力端子音量レベル情報を有している。
【００６８】
「音声信号再調整部」（１９０５）は、前記音声信号調整部にて調整された調整済音声信号を、前記音量レベル情報に基づいて定まる再調整済音声信号に再調整するように構成されている。「再調整済音声信号」とは、前記音声信号調整部にて調整された調整済音声信号を、前記音量レベル情報取得部にて取得した音量レベル情報に基づいて定まる音量レベルの音声信号に調整したものである。
【００６９】
「第一音声信号再調整手段」（１９０８）は、本実施形態の音声信号再調整部（１９０５）が有する手段で、前記音声信号調整部にて調整された調整済音声信号を、前記出力端子音量レベル情報に基づいて定まる再調整済音声信号に再調整するように構成されている。実際に出力される音楽等の音量は出力機器の種類や性能に大きく影響を受ける。例えば、前述したように音声信号の増幅機能を有する出力機器と、有さない出力機器とでは、出力される音量が大きく異なる。そのため、第一音声信号再調整手段では、音声信号調整部で調整された調整済音声信号を、出力機器ごとに調整する。出力端子に増幅機能を有する出力機器が接続されている場合に、固定レベル情報によって１５Ｖに調整された調整済音声信号が音声信号調整部に入力され、出力端子音量レベル情報が６ｄＢ下げるという情報であったときには、音声信号再調整部は調整済音声信号を７．５Ｖに再調整する。それにより、出力機器により増幅されて出力されても音量が大きくなりすぎることを防ぐことができる。
【００７０】
図２１（ａ）は第一音声信号再調整手段の構成の一例を表す概略図である。この図にあるように、第一音声信号再調整手段（２１０１）は、「アンプ」（２１０２）により構成されている。アンプは出力端子音量レベル情報（２１０３）を取得し、取得した音量レベル情報によって調整済音声信号の音量レベルを増幅する。
【００７１】
「出力端子」（１９０６）は、外部入力機器から入力された音声信号を音として出力するための出力機器と接続を行うように構成されている。出力機器とは、音声信号を受信できるものであればよく、ＡＶ装置の内蔵スピーカーや、外付けのスピーカー、ヘッドホン等の外部入力機器が挙げられる。出力機器の種類によりＤ／Ａ変換を行ってから出力するようにしてもよい。出力機器との接続は、有線であっても無線であってもよい。例えば、有線の場合には、出力機器に合ったオーディオケーブルや光ケーブルを用いることができ、無線の場合には、電波、赤外線、光通信等を用いることができる。また、ＵＳＢによる接続であってもよい。
【００７２】
<実施形態５−１の処理の流れ>
図２２は、実施形態５−１の処理の流れの一例を示したものである。まず、入力端子に入力される音声信号を取得する（Ｓ２２０１）。次に、音量レベルを定める情報である固定レベル情報を取得し（Ｓ２２０２）、入力端子に入力される音声信号を、その音声信号の音量レベルに依存せずに前記固定レベル情報に基づいて定まる調整済音声信号に調整する（Ｓ２２０３）。続いて、出力端子音量レベル情報を取得し（Ｓ２２０４）、前記調整済音声信号を、前記出力端子音量レベル情報に基づいて定まる再調整済音声信号に再調整する（Ｓ２２０５）。
【００７３】
具体的には、入力された音声信号は、実施形態１で説明したように調整済音声信号に変換される。同時に、出力端子ごとの音量レベルを定める出力端子音量レベル情報を記憶領域から取得する。出力端子音量レベル情報の取得は、デフォルト値としてあるいはユーザがあらかじめ設定し記憶領域に保持させている情報を、音声信号の入力があった場合に自動で行う。次に、取得された出力端子音量レベル情報によって前記調整済音声信号の音量レベルを再調整済音声信号に再調整する。再調整済音声信号は、すべての出力端子に対する音声信号を作成してもよいが、実際に出力を行う出力端子の音声信号のみを作成するようにした方が効率的である。特定の出力端子に対する音声信号のみを作成する場合には、再調整済音声信号を出力する出力端子をユーザが特定するような工程を加えてもよいし、出力端子に出力機器が接続されているかを自動検出し、接続されている出力端子に対する音声信号を作成するようにしてもよい。
【００７４】
<実施形態５−２の構成>
図２３に本実施形態での機能ブロックの一例を示した。本実施形態は実施形態５−１の音量レベルの調整に代えて、音量バランス等を調整するものである。本実施形態の「ＡＶ装置」（２３００）は、実施形態４−２を基本として「入力端子」（２３０１）と、「固定バランス等情報保持部」（２３０２）と、「音声信号バランス等調整部」（２３０３）と、「音量バランス等情報取得部」（２３０４）と、「音声信号バランス等再調整部」（２３０５）と、「出力端子」（２３０６）とを有し、さらに音量バランス等情報取得部（２３０４）が「出力端子音量バランス等情報取得手段」（２３０７）を有し、音声信号バランス等再調整部（２３０５）が、「第一音声信号バランス等再調整手段」（２３０８）を有することを特徴とする。
【００７５】
「音量バランス等情報取得部」（２３０４）は、音量バランス等情報を取得するように構成されている。音量バランス等情報の取得は、あらかじめデフォルト値として設定されているものを記憶領域から取得するようにしてもよいし、ユーザがリモコンなど入力手段などにより入力することにより取得するようにしてもよい。
【００７６】
「出力端子音量バランス等情報取得手段」（２３０７）は、本実施形態の音量バランス等情報取得部（２３０４）が有する手段で、出力端子音量バランス等情報を取得するように構成されている。「出力端子音量バランス等情報」とは、出力端子ごとの音量バランス等を定める情報である。例えば、出力機器が２．１ｃｈや５．１ｃｈの音声信号に対応している場合には、それらの出力機器にあった音量バランス等の情報を取得する。また、低音域成分専用のスピーカーに出力させるカットオフ周波数の値等の情報を保持していてもよい。出力端子音量バランス等情報取得部は、一の出力端子に対し一の音量バランス等を定める情報を取得する。
【００７７】
図２４は、出力端子音量バランス等情報をＸＭＬ形式で記述したリストの一例である。この図にあるように、出力端子ごとに各周波数帯域の強調度合い、各スピーカーの強調度合いのデータを有している。例えば、出力端子１は音量バランス等調整済音声信号を低音＋２ｄＢ、中音±０ｄＢ、高音±０ｄＢ、右スピーカー±０ｄＢ、左スピーカー＋１ｄＢに調整するような音量バランス等情報を有している。
【００７８】
「音声信号バランス等再調整部」（２３０５）は、前記音声信号バランス等調整部にて調整された音量バランス等調整済音声信号を、前記音量バランス等情報に基づいて定まる音量バランス等再調整済音声信号に再調整するように構成されている。「音量バランス等再調整済音声信号」とは、前記音声信号バランス等調整部にて調整された音量バランス等調整済音声信号を、前記音量バランス等取得部にて取得した音量バランス等情報に基づいて定まる音量バランス等の音声信号に調整したものである。音量バランス等再調整済音声信号には、出力端子音量バランス等情報に基づいて定まる音量バランス等によって調整されるものと、入力端子音量バランス等情報に基づいて定まる音量バランス等によって調整されるものがある。それぞれの内容についての詳細は後述する。
【００７９】
「第一音声信号バランス等再調整手段」（２３０８）は、本実施形態の音声信号バランス等再調整部（２３０５）が有する手段で、前記音声信号バランス等調整部にて調整された音量バランス等調整済音声信号を、前記出力端子音量バランス等情報に基づいて定まる音量バランス等再調整済音声信号に再調整するように構成されている。実際に出力される音楽等の音量バランス等は出力機器の種類や性能に大きく影響を受ける。例えば、ヘッドホンにより音声等を視聴する場合の多くは、左右のステレオ出力である。しかし、５．１ｃｈのスピーカーシステムによって音声等を視聴することも考えられる。第一音声信号再調整手段では、こうした出力機器に合わせた音量バランス等の調整を行う。
【００８０】
図２１（ｂ）は第一音声信号バランス等再調整手段の構成の一例を表す概略図である。この図にあるように、第一音声信号バランス等再調整手段（２１０４）は、「アンプ」（２１０５）により構成されている。アンプは出力端子音量バランス等情報（２１０６）を取得し、取得した音量バランス等情報によって音量バランス等調整済音声信号の音量バランス等に再調整する。
【００８１】
<実施形態５−２の処理の流れ>
図２５は、実施形態５−２の処理の流れの一例を示したものである。まず、入力端子に入力される音声信号を取得する（Ｓ２５０１）。次に、音量バランス等を定める情報である固定バランス等情報を取得し（Ｓ２５０２）、入力端子に入力される音声信号を、その音声信号の音量バランス等に依存せずに前記固定バランス等情報に基づいて定まる音量バランス等調整済音声信号に調整する（Ｓ２５０３）。続いて、出力端子音量バランス等情報を取得し（Ｓ２５０４）、前記音量バランス等調整済音声信号を、前記出力端子音量バランス等情報に基づいて定まる音量バランス等再調整済音声信号に再調整する（Ｓ２５０５）。
【００８２】
<実施形態５の効果>
本実施形態のＡＶ装置によれば、外部オーディオ装置の音量レベル／音量バランス等によらず、出力機器ごとに最適な一定の音量レベル／音量バランス等の音声信号に調整して出力することができる。
【００８３】
<<実施形態６>>
<実施形態６の概要>
音声信号の増幅処理は、実施形態５で説明した外部入力機器や出力機器が行う場合と、ＡＶ装置側で行う場合もある。そのため、外部入力機器とＡＶ装置の組み合わせによって出力される音量レベル／音量バランス等に差が生じることになる。本実施形態のＡＶ装置によれば、外部入力機器が接続される入力端子ごとに、適切な音量レベル／音量バランス等の音声信号に調整して出力することができる。
【００８４】
実施形態６−１では音量レベルに関する調整を行うことのできるＡＶ装置について、実施形態６−２では音量バランス等に関する調整を行うことのできるＡＶ装置について説明する。
【００８５】
<実施形態６−１の構成>
図２６に本実施形態での機能ブロックの一例を示した。本実施形態の「ＡＶ装置」（２６００）は、実施形態１−１を基本として「入力端子」（２６０１）と、「固定レベル情報保持部」（２６０２）と、「音声信号調整部」（２６０３）と、「音量レベル情報取得部」（２６０４）と、「音声信号再調整部」（２６０５）とを有し、さらに音量レベル情報取得部（２６０４）が「入力端子音量レベル情報取得手段」（２６０７）を有し、音声信号再調整部（２６０５）が、「第二音声信号再調整手段」（２６０８）を有することを特徴とする。
【００８６】
「入力端子音量レベル情報取得手段」（２６０７）は、本実施形態の音量レベル情報取得部（２６０４）が有する手段で、入力端子音量レベル情報を取得するように構成されている。「入力端子音量レベル情報」とは、入力端子ごとの音量レベルを定める情報である。「入力端子ごと」とは、間接的に入力端子に接続される外部入力機器ごとということである。入力端子音量レベル情報は、図２０に示す出力端子音量レベル情報と同様のデータ形式で保持されている。入力端子音量レベル情報取得部は、一の入力端子に対し一の音量レベルを定める情報を取得する。例えば、モバイルオーディオが接続されている入力端子から入力された場合には６ｄＢ大きく、ＤＶＤプレーヤーの接続された入力端子から入力される場合には６ｄＢ小さくするような情報を取得する。
【００８７】
「第二音声信号再調整手段」（２６０８）は、本実施形態の音声信号再調整部（２６０５）が有する手段で、前記音声信号調整部（２６０３）にて調整された調整済音声信号を、前記入力端子音量レベル情報に基づいて定まる再調整済音声信号に再調整するように構成されている。実際に入力される音楽等の音量は外部入力機器の種類や性能に大きく影響を受ける。例えば、音声信号の増幅機能を有する外部入力機器と、有さない外部入力機器とでは、出力される音量が大きく異なる。そのため、第二音声信号再調整手段では、音声信号調整部で調整された調整済音声信号を、入力機器ごとに調整する。入力端子に増幅機能を有する外部入力機器が接続されている場合に、固定レベル情報によって１５Ｖに調整された調整済音声信号が音声信号調整部に入力され、入力端子音量レベル情報が６ｄＢ下げるという情報であったときには、音声信号再調整部は調整済音声信号を７．５Ｖに再調整する。それにより、出力機器により増幅されて出力されても音量が大きくなりすぎることを防ぐことができる。
【００８８】
<実施形態６−１の処理の流れ>
図２７は、実施形態６−１の処理の流れの一例を示したものである。まず、入力端子に入力される音声信号を取得する（Ｓ２７０１）。次に、音量レベルを定める情報である固定レベル情報を取得し（Ｓ２７０２）、入力端子に入力される音声信号を、その音声信号の音量レベルに依存せずに前記固定レベル情報に基づいて定まる調整済音声信号に調整する（Ｓ２７０３）。続いて、入力端子音量レベル情報を取得し（Ｓ２７０４）、前記調整済音声信号を、前記出力端子音量レベル情報に基づいて定まる再調整済音声信号に再調整する（Ｓ２７０５）。
【００８９】
具体的には、入力された音声信号は、実施形態４で説明したように調整済音声信号に変換される。同時に、入力端子ごとの音量レベルを定める入力端子音量レベル情報を記憶領域から取得する。入力端子音量レベル情報の取得は、デフォルト値としてあるいはユーザがあらかじめ設定し記憶領域に保持させている情報を、音声信号の入力があった場合に自動で行う。次に、取得された入力端子音量レベル情報によって前記調整済音声信号の音量レベルを再調整済音声信号に再調整する。
【００９０】
<実施形態６−２の構成>
図２８に本実施形態での機能ブロックの一例を示した。本実施形態は実施形態６−１の音量レベルの調整に代えて、音量バランス等を調整するものである。本実施形態の「ＡＶ装置」（２８００）は、実施形態４−２を基本として「入力端子」（２８０１）と、「固定バランス等情報保持部」（２８０２）と、「音声信号バランス等調整部」（２８０３）と、「音量バランス等情報取得部」（２８０４）と、「音声信号バランス等再調整部」（２８０５）とを有し、さらに音量バランス等情報取得部（２８０４）が「入力端子音量バランス等情報取得手段」（２８０７）を有し、音声信号バランス等再調整部（２８０５）が、「第二音声信号バランス等再調整手段」（２８０８）を有することを特徴とする。
【００９１】
「入力端子音量バランス等情報取得手段」（２８０７）は、本実施形態の音量バランス等情報取得部（２８０４）が有する手段で、入力端子音量バランス等情報を取得するように構成されている。「入力端子音量バランス等情報」とは、入力端子ごとの音量バランス等を定める情報である。また、出力機器が２．１ｃｈや５．１ｃｈの音声信号に対応している場合には、それらの入力機器にあった各周波数帯域の音量バランス等の情報を取得する。入力端子音量バランス等情報は、図２４に示す出力端子音量バランス等情報と同様のデータ形式で保持されている。入力端子音量バランス等情報取得部は、一の入力端子に対し一の音量バランス等を定める情報を取得する。
【００９２】
「第二音声信号バランス等再調整手段」（２８０８）は、本実施形態の音声信号バランス等再調整部（２８０５）が有する手段で、前記音声信号バランス等調整部にて調整された音量バランス等調整済音声信号を、前記入力端子音量バランス等情報に基づいて定まる音量バランス等再調整済音声信号に再調整するように構成されている。実際に入力される音楽等の音量バランス等は出力機器の種類や性能に大きく影響を受ける。第二音声信号バランス等再調整部では、こうした外部入力機器に合わせた音量バランス等の調整を行う。
【００９３】
<実施形態６−２の処理の流れ>
図２９は、実施形態６−２の処理の流れの一例を示したものである。まず、入力端子に入力される音声信号を取得する（Ｓ２９０１）。次に、音量バランス等を定める情報である固定バランス等情報を取得し（Ｓ２９０２）、入力端子に入力される音声信号を、その音声信号の音量バランス等に依存せずに前記固定バランス等情報に基づいて定まる音量バランス等調整済音声信号に調整する（Ｓ２９０３）。続いて、入力端子音量バランス等情報を取得し（Ｓ２９０４）、前記音量バランス等調整済音声信号を、前記入力端子音量バランス等情報に基づいて定まる音量バランス等再調整済音声信号に再調整する（Ｓ２９０５）。
【００９４】
<実施形態６の効果>
本実施形態のＡＶ装置によれば、入力端子ごとに適切な音量レベル／音量バランス等情報を取得する事ができる。これにより、入力端子に接続される外部入力機器ごとに最適な一定の音量レベル／音量バランス等の音声信号に調整して出力することができる。
【００９５】
<<実施形態７>>
<実施形態７の概要>
本実施形態の複数のボリューム調整関数を保持しているＡＶ装置は、最適なボリューム調整関数を用いて音量レベル情報を生成することができ、出力端子又は入力端子ごとに適切な音量レベルの音声信号に調整して出力することを特徴とする。
【００９６】
実施形態７−１では音量レベルに関する調整を行うことのできるＡＶ装置について、実施形態７−２では音量バランス等に関する調整を行うことのできるＡＶ装置について説明する。
【００９７】
<実施形態７−１の構成>
図３０に本実施形態での機能ブロックの一例を示した。この図に示す「ＡＶ装置」（３０００）は、実施形態５−１を基本として「入力端子」（３００１）と、「固定レベル情報保持部」（１３０２）と、「音声信号調整部」（３００３）と、「音量レベル情報取得部」（３００４）と、「音声信号再調整部」（３００５）と、「出力端子」（３００６）とを有し、さらに音量レベル情報取得部（３００４）が「出力端子音量レベル情報取得手段」（３００７）を有し、音声信号再調整部（３００５）が、「第一音声信号再調整手段」（３００８）を有する。そして、さらに「ボリューム調整関数保持部」（３００９）と、「ボリューム調整関数取得部」（３０１０）と、「音量レベル情報生成部」（３０１１）とを有する。図３０に示すＡＶ装置は、実施形態５−１を基本としているが、実施形態６−１を基本とするものであってもよい。
【００９８】
「ボリューム調整関数保持部」（３００９）は、複数種類のボリューム調整関数を保持するように構成されている。「ボリューム調整関数」とは、音量レベルを調整するための関数で、音量レベルの変化の度合いを決める関係をいう。図３１（Ａ）にボリューム調整関数の一例を示す。図３１（Ａ）のようなダイアル式の音量レベルの調整つまみの場合を説明する。図３１（Ａ）は、つまみの回転角度によって音量レベルとの関係を示すボリューム調整関数のグラフである。この図にあるように、ボリューム調整関数はaのように比例関係であっても、音量レベルの変化量が異なるｂ、ｃ、ｄのような比例しない関係であってもよい。ｄのボリューム調整関数は、音量レベルの小さい時には細かく音量を設定でき、音量が大きくなるにつれ、つまみの回転角度に対する音量の増加量が大きくなる関数である。また、図示はしていないが、比例関係である場合には、その傾きを変化させることによって、ボリュームの増加量を変えた関数であってもよい。
【００９９】
「ボリューム調整関数取得部」（３０１０）は、出力端子又は入力端子ごとに前記ボリューム調整関数の一を取得するように構成されている。前記ボリューム調整関数保持部にて保持されている複数のボリューム調整関数の中から、出力端子又は入力端子ごとに最適なボリューム調整関数の一を選択し、取得する。図３１（Ａ）の場合には、出力端子１はａのボリューム調整関数を利用し、出力端子２はｃのボリューム調整関数を利用するといったように選択する。取得方法としては、表示部に複数のボリューム調整関数を表示し、リモコンやマウスのような入力手段でその一を選択することによって取得する方法がわかりやすい。例えば、ボリューム調整関数の数式やグラフを表示したり、すごく細かい／細かい／標準のように表示することができる。
【０１００】
「音量レベル情報生成部」（３０１１）は、前記ボリューム調整関数取得部にて取得したボリューム調整関数を利用して音量レベル情報を生成するように構成されている。生成方法としては、例えばつまみを用いてそのつまみのまわす角度によって、又は表示部に音量レベルメーターを表示しリモコンなどでユーザに設定させることで生成することができる。図３１（Ａ）において、ａのボリューム調整関数を選択し、つまみをｒまで回転させたときには、ｓの音量レベルを定める音量レベル情報を生成する。音量レベル情報生成部にて生成した音量レベル情報は、前記音量レベル情報取得部にて取得され、音声信号再調整部での再調整済音声信号の調整に利用される。
【０１０１】
<実施形態７−１の処理の流れ>
図３２は、実施形態７−１の処理の流れの一例を示したものである。まず、入力端子に入力される音声信号を取得する（音声信号取得ステップ  Ｓ３２０１）。次に、音量レベルを定める情報である固定レベル情報を取得し（固定レベル取得ステップ  Ｓ３２０２）、入力端子に入力される音声信号を、その音声信号の音量レベルに依存せずに前記固定レベル情報に基づいて定まる調整済音声信号に調整する（音声信号調整ステップ  Ｓ３２０３）。続いて、複数種類のボリューム調整関数から出力端子又は入力端子ごとに一のボリューム調整関数を取得する（ボリューム調整関数取得ステップ  Ｓ３２０４）。次に、前記ボリューム調整関数取得ステップにて取得したボリューム調整関数を利用して音量レベル情報を生成する（音量レベル情報生成ステップ  Ｓ３２０５）。最後に、前記音声信号調整ステップにて調整された調整済音声信号を、前記音量レベル情報生成ステップにて生成した音量レベル情報に基づいて定まる再調整済音声信号に再調整する（音声信号再調整ステップ  Ｓ３２０６）。
【０１０２】
具体的には、あらかじめ複数種類のボリューム調整関数を記録領域に記録しておく。出力端子又は入力端子ごとに一のボリューム調整関数を選択することにより、音量レベル情報を作成する。この音量レベル情報の作成は、デフォルト値としてあるいはユーザがあらかじめ設定し記憶領域に保持させている情報を、音声信号の入力があった場合に自動で行うようにしてもよいし、音声信号の入力を検知するごとに設定を行うようにしてもよい。生成した音量レベル情報を用い、実施形態１及び２で説明した処理を行い、音声信号を出力する。
【０１０３】
<実施形態７−２の構成>
図３３に本実施形態での機能ブロックの一例を示した。本実施形態は実施形態７−１の音量レベルの調整に代えて、音量バランス等を調整するものである。この図に示す「ＡＶ装置」（３３００）は、実施形態５−２を基本として「入力端子」（３３０１）と、「固定バランス等情報保持部」（３３０２）と、「音声信号バランス等調整部」（３３０３）と、「音量バランス等情報取得部」（３３０４）と、「音声信号バランス等再調整部」（３３０５）と、「出力端子」（３３０６）とを有し、さらに音量バランス等情報取得部（３３０４）が「出力端子音量バランス等情報取得手段」（３３０７）を有し、音声信号バランス等再調整部（３３０５）が、「第一音声信号バランス等再調整手段」（３３０８）を有する。そして、さらに「音量バランス等調整関数保持部」（３３０９）と、「音量バランス等調整関数取得部」（３３１０）と、「音量バランス等情報生成部」（３３１１）とを有する。図３３のＡＶ装置は、実施形態５−２を基本としているが、実施形態６−２を基本とするものであってもよい。
【０１０４】
「音量バランス等調整関数保持部」（３３０９）は、複数種類の音量バランス等調整関数を保持するように構成されている。「音量バランス等調整関数」とは、音量バランス等を調整するための関数で、音量バランス等の変化の度合いを決める関係をいう。図３１（Ｂ）に音量バランス等調整関数の一例を示す。図３１（Ｂ）のようなダイアル式の音量バランス等の調整つまみの場合を説明する。調整つまみは、低音、高音等の周波数帯域や右スピーカー、左スピーカー等のスピーカーごとに各一ずつ有してもよいし、一のつまみによってそれぞれの音量バランスを調整するようにしてもよい。この図にあるように、音量バランス等調整関数はaのように比例関係であっても、音量レベルの変化量が異なるｂ、ｃのような比例しない関係であってもよい。
【０１０５】
「音量バランス等調整関数取得部」（３３１０）は、出力端子又は入力端子ごとに前記音量バランス等調整関数の一を取得するように構成されている。前記音量バランス等調整関数保持部にて保持されている複数の音量バランス等調整関数の中から、出力端子又は入力端子ごとに最適な音量バランス等調整関数の一を選択し、取得する。図３１（Ｂ）の場合には、出力端子１はａの音量バランス等調整関数を利用し、出力端子２はｃの音量バランス等調整関数を利用するといったように選択する。取得方法としては、表示部に複数の音量バランス等調整関数を表示し、リモコンやマウスのような入力手段でその一を選択することによって取得する方法がわかりやすい。例えば、音量バランス等調整関数の数式やグラフを表示したり、「すごく細かい／細かい／標準」のように表示することができる。
【０１０６】
「音量バランス等情報生成部」（３３１１）は、前記音量バランス等調整関数取得部にて取得した音量バランス等調整関数を利用して音量バランス等情報を生成するように構成されている。生成方法としては、例えばダイアルを用いてそのダイアルのまわす角度によって、又は表示部に音量バランス等メーターを表示しリモコンなどでユーザに設定させることで生成することができる。図３１（Ｂ）において、ａの音量バランス等調整関数を選択し、つまみをｒまで回転させたときには、ｔの音量バランスを定める音量バランス等情報を生成する。音量バランス等情報生成部にて生成した音量バランス等情報は、前記音量バランス等情報取得部にて取得され、音声信号バランス等再調整部での音量バランス等再調整済音声信号の調整に利用される。
【０１０７】
<実施形態７−２の処理の流れ>
図３４は、実施形態７−２の処理の流れの一例を示したものである。まず、入力端子に入力される音声信号を取得する（音声信号取得ステップ  Ｓ３４０１）。次に、音量バランス等を定める情報である固定バランス等情報を取得し（固定バランス等取得ステップ  Ｓ３４０２）、入力端子に入力される音声信号を、その音声信号の音量バランス等に依存せずに前記固定バランス等情報に基づいて定まるバランス等調整済音声信号に調整する（音声信号バランス等調整ステップ  Ｓ３４０３）。続いて、複数種類の音量バランス等調整関数から出力端子又は入力端子ごとに一の音量バランス等調整関数を取得する（音量バランス等調整関数取得ステップ  Ｓ３４０４）。次に、前記音量バランス等調整関数取得ステップにて取得したボリューム調整関数を利用して音量バランス等情報を生成する（音量バランス等情報生成ステップ  Ｓ３４０５）。最後に、前記音声信号調整ステップにて調整された音量バランス等調整済音声信号を、前記音量バランス等情報生成ステップにて生成した音量バランス等情報に基づいて定まる音量バランス等再調整済音声信号に再調整する（音声信号再調整ステップ  Ｓ３４０６）。
【０１０８】
<実施形態７の効果>
本実施形態の複数のボリューム調整関数／音量バランス等調整関数を保持しているＡＶ装置によれば、最適なボリューム調整関数／音量バランス等調整関数を用いて音量レベル情報／音量バランス情報を生成することができる。これにより、入力端子に入力された音声信号を、出力端子又は入力端子ごとに適切な音量レベル／音量バランス等の音声信号に調整して出力することができる。
【０１０９】
<<実施形態８>>
<実施形態８の概要>
これまでの実施形態のＡＶ装置においては、再調整済音声信号にて出力されている時に、リモコン等によりユーザが好みの音量レベル／音量バランス等の設定を変更しても、その変更は記憶されず、次回の外部入力機器接続時には設定された再調整済音声信号にて出力される。本実施形態のＡＶ装置は音量レベル情報保持部又は音量バランス等情報保持部を有し、次回の外部入力機器接続時にはユーザが変更した音量レベル／音量バランス等によって出力することを特徴とする。
【０１１０】
実施形態８−１では音量レベルに関する調整を行うことのできるＡＶ装置について、実施形態８−２では音量バランス等に関する調整を行うことのできるＡＶ装置について説明する。
【０１１１】
<実施形態８−１の構成>
図３５に本実施形態での機能ブロックの一例を示した。本実施形態の「ＡＶ装置」（３５００）は、実施形態７−１を基本として「入力端子」（３５０１）と、「固定レベル情報保持部」（３５０２）と、「音声信号調整部」（３５０３）と、「音量レベル情報取得部」（３５０４）と、「音声信号再調整部」（３５０５）と、「出力端子」（３５０６）と、「ボリューム調整関数保持部」（３５０９）と、「ボリューム調整関数取得部」（３５１０）と、「音量レベル情報生成部」（３５１１）とを有し、さらに音量レベル情報取得部（３５０４）が「出力端子音量レベル情報取得手段」（３５０７）を有し、音声信号再調整部（３５０５）が「第一音声信号再調整手段」（３５０８）を有する。そして、さらに「音量レベル情報保持部」（３５１２）を有し、音量レベル情報取得部（３５０４）が「デフォルト取得手段」（３５１３）を有することを特徴とする。
【０１１２】
「音量レベル情報保持部」（３５１２）は、外部接続による音声信号の入力終了時の再調整済音声信号の音量レベル情報を保持するように構成されている。「外部接続による音声信号の入力終了時」とは、ＡＶ装置と外部オーディオ装置との接続を切った時、あるいは外部オーディオ装置又はＡＶ装置の電源ＯＦＦ時をいう。実際には、再調整済音声信号にて出力している音声信号の音量レベルが、ユーザにより変更された時の音量レベルを記憶領域に保持しておき、外部接続による音声信号の入力終了時を検知した場合に音量レベル情報保持部に記録するようにする。デフォルト値として保持する音量レベル情報は一に限られず、二以上であってもよい。
【０１１３】
「デフォルト取得手段」（３５１３）は、本実施形態の音量レベル情報取得部（３５０４）の有する手段で、音声信号の入力再開時の最初の音量レベル情報を取得するに際して、この音量レベル情報保持部に保持された音量レベル情報を取得するように構成されている。あらかじめ設定されている音量レベル情報に代えて、音量レベル情報保持部に保持されている音量レベル情報によって、再調整済音声信号を調整するために、音量レベル情報取得部はデフォルト取得手段を有している。
【０１１４】
<実施形態８−１の処理の流れ>
図３６は、実施形態８−１の処理の流れの一例を示したものである。まず、入力端子に入力される音声信号を取得する（音声信号取得ステップ  Ｓ３６０１ＹＥＳ）。次に、出力端子又は入力端子ごとの音量レベル情報を取得する（音量レベル情報取得ステップ  Ｓ３６０２）。続いて、外部接続による音声信号の入力終了を検知した場合に（入力終了検知ステップ  Ｓ３６０３ＹＥＳ）、入力終了検知時の音量レベル情報を保持する（音量レベル情報保持ステップ  Ｓ３６０４）。処理フローを終了せず（Ｓ３６０５）、音声信号の入力が再開された時には（Ｓ３６０１ＹＥＳ）、音量レベル情報を取得するに際して、前記音量レベル情報保持ステップにて保持された音量レベル情報を取得する。（デフォルト取得ステップ  Ｓ３６０２）。
【０１１５】
具体的には、実施形態４から６において説明した処理により音声信号を出力しているＡＶ装置において、音量レベル情報を取得あるいは生成した場合には、その情報を記憶領域に記憶する。また、その後に音量レベル情報を変更し、新しい再調整済音声信号に調整した場合には、前に記憶している情報に代えて最新の音量レベル情報を記憶するようにする。次に音声信号の入力終了を検知する。例えば、ＡＶ装置又は外部オーディオ装置の電源が切られた場合には、電源ＯＦＦ信号を音声信号の入力終了として検知する。また、音楽等の再生がすべて終了し、所定時間音声信号が入力されないような場合には、無信号時間の検知により音声信号の入力終了を検知するようにしてもよい。音声信号の入力終了を検知した場合に、一時的に記憶領域に記録していた音量レベル情報を確定し、音量レベル情報保持部に記録する。次に音量レベル情報取得の際に、この音量レベル情報保持部に保持されている音量レベル情報を取得し、再調整済音声信号とする。
【０１１６】
<実施形態８−２の構成>
図３７に本実施形態での機能ブロックの一例を示した。本実施形態は実施形態８−１の音量レベルの調整に代えて、音量バランス等を調整するものである。本実施形態の「ＡＶ装置」（３７００）は、実施形態７−２を基本として「入力端子」（３７０１）と、「固定バランス等情報保持部」（３７０２）と、「音声信号バランス等調整部」（３７０３）と、「音量バランス等情報取得部」（３７０４）と、「音声信号バランス等再調整部」（３７０５）と、「出力端子」（３７０６）と、「音量バランス等調整関数保持部」（３７０９）と、「音量バランス等調整関数取得部」（３７１０）と、「音量バランス等情報生成部」（３７１１）とを有し、さらに音量バランス等情報取得部（３７０４）が「音量レベル情報取得手段」（３７０７）を有し、音声信号再調整部（３７０５）が「第一音声信号再調整手段」（３７０８）を有する。そして、さらに「音量バランス等情報保持部」（３７１２）を有し、音量レベル情報取得部（３７０４）が「音量バランス等デフォルト取得手段」（３７１３）を有することを特徴とする。
【０１１７】
「音量バランス等情報保持部」（３７１２）は、外部接続による音声信号の入力終了時の音量バランス等再調整済音声信号の音量バランス等情報を保持するように構成されている。「外部接続による音声信号の入力終了時」とは、ＡＶ装置と外部オーディオ装置との接続を切った時、あるいは外部オーディオ装置又はＡＶ装置の電源ＯＦＦ時をいう。実際には、音量バランス等再調整済音声信号にて出力している音声信号の音量バランス等が、ユーザにより変更された時の音量バランス等を記憶領域に保持しておき、外部接続による音声信号の入力終了時を検知した場合に音量バランス等情報保持部に記録するようにする。デフォルト値として保持する音量バランス等情報は一に限られず、二以上であってもよい。
【０１１８】
「音量バランス等デフォルト取得手段」（３７１３）は、本実施形態の音量バランス等情報取得部（３７０４）の有する手段で、音声信号の入力再開時の最初の音量バランス等情報を取得するに際して、この音量バランス等情報保持部に保持された音量バランス等情報を取得するように構成されている。あらかじめ設定されている音量バランス等情報に代えて、音量バランス等情報保持部に保持されている音量バランス等情報によって、音量バランス等再調整済音声信号を調整するために、音量バランス等情報取得部はデフォルト取得手段を有している。
【０１１９】
<実施形態８−２の処理の流れ>
図３８は、実施形態８−２の処理の流れの一例を示したものである。まず、入力端子に入力される音声信号を取得する（音声信号取得ステップ  Ｓ３８０１ＹＥＳ）。次に、出力端子又は入力端子ごとの音量バランス等情報を取得する（音量バランス等情報取得ステップ  Ｓ３８０２）。続いて、外部接続による音声信号の入力終了を検知した場合に（入力終了検知ステップ  Ｓ３８０３ＹＥＳ）、入力終了検知時の音量バランス等情報を保持する（音量バランス等情報保持ステップ  Ｓ３８０４）。処理フローを終了せず（Ｓ３８０５）、音声信号の入力が再開された時には（Ｓ３８０１ＹＥＳ）、音量バランス等情報を取得するに際して、前記音量バランス等情報保持ステップにて保持された音量バランス等情報を取得する。（音量バランス等デフォルト取得ステップ  Ｓ３８０２）。
【０１２０】
<実施形態８の効果>
本実施形態のＡＶ装置によれば、前回使用していた音量レベル／音量バランス等情報を保持することが可能となる。これにより、音量レベル／音量バランス等を毎回設定することなく、ユーザの手間を省くことができる。
【０１２１】
<<実施形態９>>
<実施形態９の概要>
本実施形態のＡＶ装置は、入力端子へのプラグを挿入を検知することにより、外部装置の接続を検出し、入力端子に入力される音声信号を適切な音量レベル／音量バランス等の音声信号に調整することを特徴とする。
【０１２２】
<実施形態９−１の構成>
図３９に本実施形態での機能ブロックの一例を示した。本実施形態の「ＡＶ装置」（３９００）は、実施形態４を基本として「入力端子」（３９０１）と、「固定レベル情報保持部」（３９０２）と、「音声信号調整部」（３９０３）とを有し、さらに「判断部」（３９０４）を有する。
【０１２３】
<実施形態９−２の構成>
図４０に本実施形態での機能ブロックの一例を示した。本実施形態は実施形態９−１の音量レベルの調整に代えて、音量バランス等を調整するものである。本実施形態の「ＡＶ装置」（４０００）は、実施形態４を基本として「入力端子」（４００１）と、「固定バランス等情報保持部」（４００２）と、「音声信号バランス等調整部」（４００３）とを有し、さらに「判断部」（４００４）を有する。
【０１２４】
本実施形態９は、実施形態４を基本としたが、実施形態５から８のいずれを基本とするものであってよい。また、実施形態１から３に記載の「ＡＶ信号入力部」、「音声信号転送部」、「スイッチ」、「スイッチ制御部」、「ロック信号制御部」などの構成を有していてもよい。
【０１２５】
本実施形態の「判断部」（３９０４、４００４）は、実施形態１にて説明した検知部と同様の機能を果たし、入力端子に対するプラグの挿抜を検知して外部接続があるか判断するように構成されている。具体的には、まず所定の信号を周期的に収集しておく。そして、プラグが挿入された場合には、端子が物理的に接続状態を示すＬＯＷの状態になり、また、プラグを抜き出した場合には、非接続状態を示すＨＩＧＨの状態になるため、抵抗値が変わり収集される信号に変化が生じプラグの挿抜を検知することができる。判断部は、プラグの挿抜時だけでなく、プラグ挿入時にＡＶ装置の電源を入れた場合にも、信号の到来によりプラグの挿入を検知して、外部接続があるかを判断することができるようにしてもよい。
【０１２６】
本実施形態の「音声信号調整部」（３９０３）は、判断部（３９０４）にて外部接続があると判断した場合には、入力端子に入力される音声信号を、その音声信号の音量レベルに依存せずに前記固定レベル情報に基づいて定まる調整済音声信号に調整するように構成されている。また、「音声信号バランス等調整部」（４００３）は、判断部（４００４）にて外部接続があると判断した場合には、前記音声信号バランス等調整部は、入力端子に入力される音声信号を、その音声信号の音量バランス等に依存せずに前記固定バランス等情報に基づいて定まる音量バランス等調整済音声信号に調整するように構成されている。これにより、ユーザは入力モードの設定などを変更することなく、プラグの挿入のみによって外部入力音声をＡＶ装置に適切な音量レベル／音量バランス等の出力音声とすることが可能となり、モバイルオーディオに保存されている音楽などをＡＶ装置のスピーカーを通じて迫力のある音響で聴くことが可能となる。
【０１２７】
<実施形態９−１の処理の流れ>
図４１は、実施形態６−１の処理の流れの一例を示したものである。まず、入力端子への外部接続の有無を判断する（判断ステップ  Ｓ４１０１）。次に、入力端子に入力される音声信号を取得する（音声信号取得ステップ  Ｓ４１０２）。続いて、前記判断ステップにて外部接続があると判断した場合に、音量レベルを定める情報である固定レベル情報を取得する（固定レベル情報取得ステップ  Ｓ４１０３）。最後に、入力端子に入力される音声信号を、その音声信号の音量レベルに依存せずに前記固定レベル取得ステップにて取得した固定レベル情報に基づいて定まる調整済音声信号に調整する（音声信号調整ステップ  Ｓ４１０４）。
【０１２８】
<実施形態９−２の処理の流れ>
図４２は、実施形態９−２の処理の流れの一例を示したものである。まず、入力端子への外部接続の有無を判断する（判断ステップ  Ｓ４２０１）。次に、入力端子に入力される音声信号を取得する（音声信号取得ステップ  Ｓ４２０２）。続いて、音量バランス等を定める情報である固定バランス等情報を取得する（固定バランス等情報取得ステップ  Ｓ４２０３）。最後に、入力端子に入力される音声信号を、その音声信号の音量バランス等に依存せずに前記固定バランス等取得ステップにて取得した固定バランス等情報に基づいて定まる音量バランス等調整済音声信号に調整する（音声信号音量バランス等調整ステップ  Ｓ４２０４）。
【０１２９】
<実施形態９の効果>
本実施形態のＡＶ装置によれば、入力端子へのプラグの挿抜を検知することにより外部装置があるかを判断することができる。これにより、ユーザは入力モードの設定などを変更することなく、プラグの挿入を行うだけで適切な音量レベル／音量バランス等の音声信号に調整することができ、ユーザの手間を省くことができる。
【図面の簡単な説明】
【０１３０】
【図１】実施形態１を説明するための概念図
【図２】実施形態１を説明するための機能ブロック図
【図３】実施形態１を説明するための模式図
【図４】実施形態１の処理の流れを説明するための図
【図５】実施形態２を説明するための機能ブロック図
【図６】モニター出力時のケーブル接続例を示す図
【図７】実施形態２の端子の関係を示す概念図
【図８】実施形態２の処理の流れを説明するための図
【図９】実施形態３を説明するための機能ブロック図
【図１０】実施形態３の処理の流れを説明するための図
【図１１】実施形態４−１を説明するための機能ブロック図
【図１２】音声信号調整部を説明するための図
【図１３】音声信号調整部の処理の流れを説明するための図
【図１４】実施形態４−１の処理の流れを説明するための図
【図１５】実施形態４−２を説明するための機能ブロック図
【図１６】音声信号バランス等調整部を説明するための図
【図１７】音声信号バランス等調整部の処理の流れを説明するための図
【図１８】実施形態４−２の処理の流れを説明するための図
【図１９】実施形態５−１を説明するための機能ブロック図
【図２０】出力端子音量レベル情報を説明するための図
【図２１】第一音声信号再調整手段及び第一音声信号バランス等再調整手段を説明するための図
【図２２】実施形態５−１の処理の流れを説明するための図
【図２３】実施形態５−２を説明するための機能ブロック図
【図２４】出力端子音量バランス等情報を説明するための図
【図２５】実施形態５−２の処理の流れを説明するための図
【図２６】実施形態６−１を説明するための機能ブロック図
【図２７】実施形態６−１の処理の流れを説明するための図
【図２８】実施形態６−２を説明するための機能ブロック図
【図２９】実施形態６−２の処理の流れを説明するための図
【図３０】実施形態７−１を説明するための機能ブロック図
【図３１】ボリューム調整関数及び音量バランス等調整関数を説明するための図
【図３２】実施形態７−１の処理の流れを説明するための図
【図３３】実施形態７−２を説明するための機能ブロック図
【図３４】実施形態７−２の処理の流れを説明するための図
【図３５】実施形態８−１を説明するための機能ブロック図
【図３６】実施形態８−１の処理の流れを説明するための図
【図３７】実施形態８−２を説明するための機能ブロック図
【図３８】実施形態８−２の処理の流れを説明するための図
【図３９】実施形態９−１を説明するための機能ブロック図
【図４０】実施形態９−２を説明するための機能ブロック図
【図４１】実施形態９−１の処理の流れを説明するための図
【図４２】実施形態９−２の処理の流れを説明するための図
【符号の説明】
【０１３１】
０２００、１１００、１５００    ＡＶ装置
０２０１、１１０１、１５０１    入力端子
０２０２    検知部
０２０３    ＡＶ信号入力部
０２０４    音声信号転送部
０２０５    スイッチ
０２０６    スイッチ制御部
１１０２    固定レベル情報保持部
１１０３    音声信号調整部
１５０２    固定バランス等情報保持部
１５０３    音声信号バランス等調整部
【図１】
2007089145.tif 000003
【図２】
2007089145.tif 000004
【図３】
2007089145.tif 000005
【図４】
2007089145.tif 000006
【図５】
2007089145.tif 000007
【図６】
2007089145.tif 000008
【図７】
2007089145.tif 000009
【図８】
2007089145.tif 000010
【図９】
2007089145.tif 000011
【図１０】
2007089145.tif 000012
【図１１】
2007089145.tif 000013
【図１２】
2007089145.tif 000014
【図１３】
2007089145.tif 000015
【図１４】
2007089145.tif 000016
【図１５】
2007089145.tif 000017
【図１６】
2007089145.tif 000018
【図１７】
2007089145.tif 000019
【図１８】
2007089145.tif 000020
【図１９】
2007089145.tif 000021
【図２０】
2007089145.tif 000022
【図２１】
2007089145.tif 000023
【図２２】
2007089145.tif 000024
【図２３】
2007089145.tif 000025
【図２４】
2007089145.tif 000026
【図２５】
2007089145.tif 000027
【図２６】
2007089145.tif 000028
【図２７】
2007089145.tif 000029
【図２８】
2007089145.tif 000030
【図２９】
2007089145.tif 000031
【図３０】
2007089145.tif 000032
【図３１】
2007089145.tif 000033
【図３２】
2007089145.tif 000034
【図３３】
2007089145.tif 000035
【図３４】
2007089145.tif 000036
【図３５】
2007089145.tif 000037
【図３６】
2007089145.tif 000038
【図３７】
2007089145.tif 000039
【図３８】
2007089145.tif 000040
【図３９】
2007089145.tif 000041
【図４０】
2007089145.tif 000042
【図４１】
2007089145.tif 000043
【図４２】
2007089145.tif 000044
【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
外部音声信号の入力を行うための入力端子と、
入力端子に対するプラグの挿抜を検知する検知部と、
内部取得されたＡＶ信号入力のためのＡＶ信号入力部と、
音声信号処理回路に音声信号を転送するための音声信号転送部と、
前記入力端子か、ＡＶ信号入力部かのいずれか一を選択して音声信号転送部に接続するためのスイッチと、
前記検知部にて入力端子へのプラグの挿入を検知した場合には、その入力端子を音声信号転送部に接続させるスイッチ制御をするスイッチ制御部と、
を有するＡＶ装置。
【請求項２】
前記音声信号転送部は、モニター出力処理回路に対して音声信号を転送するためのモニター出力転送手段を有し、
スイッチの切換をロックするためのロック信号を取得するロック信号取得部を有し、
前記ＡＶ信号入力部がスイッチによって音声信号転送部に接続されており、前記ロック信号取得部がロック信号を取得している場合には、
前記スイッチ制御部は、前記検知部での検知結果がプラグの挿入検知があったとの検知結果であっても入力端子に入力される音声信号を前記音声信号転送部のうちでモニター出力転送手段には接続させないスイッチ制御をするロックスイッチ制御手段を有する
請求項１に記載のＡＶ装置。
【請求項３】
前記スイッチ制御部は、
前記入力端子から入力される音声信号がスイッチによって音声信号転送部に接続されている状態で、前記検知部にて入力端子からのプラグの抜出を検知した場合には、音声信号転送部に接続する入力を入力端子からＡＶ信号入力部に切り換える抜出検知スイッチ制御手段を有する
請求項１又は２に記載のＡＶ装置。
【請求項４】
外部音声信号の入力を行うための入力端子と、
入力端子に対するプラグの挿抜を検知する検知部と、
内部取得されたＡＶ信号入力のためのＡＶ信号入力部と、
音声信号処理回路に音声信号を転送するための音声信号転送部と、
前記入力端子か、ＡＶ信号入力部かのいずれか一を選択して音声信号転送部に接続するためのスイッチと、を有するＡＶ装置の動作方法であって、
前記検知部にて入力端子へのプラグの挿入を検知した場合には、その入力端子を音声信号転送部に接続させるスイッチ制御をするスイッチ制御ステップを有するＡＶ装置の動作方法。
【請求項５】
前記音声信号転送部は、モニター出力処理回路に対して音声信号を転送するためのモニター出力転送手段を有し、
スイッチの切換をロックするためのロック信号を取得するロック信号取得ステップを有し、
前記ＡＶ信号入力部がスイッチによって音声信号転送部に接続されており、前記ロック信号取得ステップにてロック信号を取得している場合には、
前記スイッチ制御ステップは、前記検知部での検知結果がプラグの挿入検知があったとの検知結果であっても入力端子に入力される音声信号を前記音声信号転送部のうちでモニター出力転送手段には接続させないスイッチ制御をするロックスイッチ制御ステップを有する
請求項４に記載のＡＶ装置の動作方法。
【請求項６】
前記スイッチ制御ステップは、
前記入力端子から入力される音声信号がスイッチによって音声信号転送部に接続されている状態で、前記検知部にて入力端子からのプラグの抜出を検知した場合には、音声信号転送部に接続する入力を入力端子からＡＶ信号入力部に切り換える抜出検知スイッチ制御ステップを有する
請求項４又は５に記載のＡＶ装置の動作方法。
【手続補正２】
【補正対象書類名】明細書
【補正対象項目名】００１６
【補正方法】変更
【補正の内容】
【００１６】
以下に図面を用いて本発明の実施の形態を説明する。なお、本発明は、これらの実施の形態に限定されるものではなく、その要旨を逸脱しない範囲において、種々なる態様で実施しうる。実施形態１は、主に請求項１、４などについて説明する。実施形態２は、主に請求項２、５などについて説明する。実施形態３は、主に請求項３、６などについて説明する。実施形態４、５、６、７、８、９は、その他の実施形態などについて説明する。